(57)【要約】【課題】印字領域を確認しながら印字データの入力が可能となり、高品質の印字済みラベルテープを作成することが可能なテープカセット及びテープ印字装置を提供する。【解決手段】ＣＰＵ８１は、テープカセット２１にタイプ１の被印字テープ５３１が収納されていると判定した場合には、「ＩＣチップのピッチ長Ｌ」のデータ値からアンテナ３３からサーマルヘッド９までの長さ（ｌ１＋ｌ２）を減算した長さの仮想テープ２０１を表示する。また、仮想テープ２０１の右側に「テープ幅」を表示する。また、その下側に仮想テープ２０１のテープ長さを表示する。また、その下側に「テープ種類」を表示する。そして、ＣＰＵ８１は、「印字範囲」のデータ値から仮想テープ２０１上に印字領域２０２を表示し、その右側部分は非印字領域となる。印字領域２０２に入力された印字データを表示し、リターンキー４が押下されるのを待つ。【選択図】図２０
2006289954.tif 000002
【特許請求の範囲】
【請求項１】
長尺状のテープを搬送するためのテープ搬送手段と、前記テープに印字する印字手段と、を備えたテープ印字装置に使用され、前記テープが収納されて該テープ印字装置のカセット収納部に着脱可能なテープカセットにおいて、
テープカセット本体に設けられて該テープカセットに関する所定のカセット情報を特定するカセット情報特定手段と、
前記印字手段によって印字される被印字テープが巻回されて回転可能に設けられるテープスプールと、
前記被印字テープの長手方向に所定ピッチで配置されて、所定の情報を記憶するＩＣ回路部及び前記ＩＣ回路部に接続されて情報の送受信を行うＩＣ回路側アンテナを有する無線情報回路素子と、
前記被印字テープの一方の面の長手方向に前記所定ピッチと同一ピッチで形成されるセンサーマークと、
前記被印字テープの前記各センサーマーク間の前記無線情報回路素子を含まない部分に前記所定ピッチと同一ピッチで設けられる印字領域と、
を備え、
前記各センサーマークと前記各無線情報回路素子と前記各印字領域とは、前記被印字テープの長手方向に繰り返し所定距離離間して設けられ、
前記所定のカセット情報は、前記各印字領域の搬送方向先端縁部と該各印字領域のテープ搬送方向上流側の直前に配置される前記センサマークとの相対距離を表す距離データと該各印字領域の搬送方向長さを表す長さデータとから構成される印字領域情報を含むことを特徴とするテープカセット。
【請求項２】
前記所定のカセット情報は、前記各無線情報回路素子と該各無線情報回路素子のテープ搬送方向上流側の直前に配置される前記センサマークとの相対距離を表す回路素子位置情報を含むことを特徴とする請求項１に記載のテープカセット。
【請求項３】
長尺状のテープを搬送するためのテープ搬送手段と、入力手段と、前記入力手段によって入力又は編集された印字データを表示する表示手段と、前記表示手段に表示された印字データを前記テープに印字する印字手段と、を備え、前記テープが収納されたテープカセットが着脱可能に装着されるテープ印字装置において、
前記テープカセットは、
テープカセット本体に設けられて該テープカセットに関する所定のカセット情報を特定するカセット情報特定手段と、
前記印字手段によって印字される被印字テープが巻回されて回転可能に設けられるテープスプールと、
前記被印字テープの長手方向に所定ピッチで配置されて、所定の情報を記憶するＩＣ回路部及び前記ＩＣ回路部に接続されて情報の送受信を行うＩＣ回路側アンテナを有する無線情報回路素子と、
前記被印字テープの一方の面の長手方向に前記所定ピッチと同一ピッチで形成されるセンサーマークと、
前記被印字テープの前記各センサーマーク間の前記無線情報回路素子を含まない部分に前記所定ピッチと同一ピッチで設けられる印字領域と、
を備え、
前記各センサーマークと前記各無線情報回路素子と前記各印字領域とは、前記被印字テープの長手方向に繰り返し所定距離離間して設けられ、
前記所定のカセット情報は、前記各印字領域の搬送方向先端縁部と該各印字領域のテープ搬送方向上流側の直前に配置される前記センサマークとの相対距離を表す距離データと該各印字領域の搬送方向長さを表す長さデータとから構成される印字領域情報を含み、
テープ印字装置は、
前記テープカセットから送り出された印字済みテープの前記センサーマークを検出する検出センサと、
前記検出センサからテープ搬送方向上流側に所定の第１距離離れた位置に配置されるサーマルヘッドと、
前記検出センサからテープ搬送方向上流側に前記所定の第１距離よりも小さい所定の第２距離離れた位置に配置されて前記テープカセットから送り出された印字済みテープを切断する切断手段と、
前記カセット情報特定手段と協働して前記所定のカセット情報を読み取るカセット情報読取手段と、
前記カセット情報読取手段を介して読み込んだ前記印字領域情報に基づいて前記被印字テープ上の印字領域を表す仮想テープを作成して前記表示手段に表示すると共に、前記印字データを該印字領域に印字した状態で表示するように表示制御する仮想テープ表示制御手段と、
を備えていることを特徴とするテープ印字装置。
【請求項４】
前記所定のカセット情報は、前記各無線情報回路素子と該各無線情報回路素子のテープ搬送方向上流側の直前に配置される前記センサマークとの相対距離を表す回路素子位置情報を含むことを特徴とする請求項３に記載のテープ印字装置。
【請求項５】
印字済みテープを挟んで前記検出センサに対向するように配置される装置側アンテナと、
前記装置側アンテナを介して前記無線情報回路素子から前記所定の情報を無線通信により読み取り又は書き込む読取書込手段と、
を備えていることを特徴とする請求項３又は請求項４に記載のテープ印字装置。
【発明の詳細な説明】
【技術分野】
【０００１】
本発明は、長尺状のテープが収納されるテープカセット、及び、このテープを搬送するためのテープ搬送手段と、テープに印字する印字手段と、を備え、該テープカセットが着脱可能に装着されるテープ印字装置に関するものである。
【背景技術】
【０００２】
従来より、長尺状のテープが収納されるテープカセット、及び、このテープを搬送するためのテープ搬送手段と、テープに印字する印字手段と、を備え、該テープカセットが着脱可能に装着されるテープ印字装置に関して種々提案されている。
例えば、印字ヘッドを含み、与えられたテキストのデータを印字媒体であるテープに印字する印字手段を備えたテープ印字装置において、前記テープに予め所定のフォーマットと共に印刷され、そのフォーマットに対する印字開始位置に前記印字ヘッドを位置決めするための基準となるマークと、そのマークを基準として、前記所定のフォーマットに対する前記印字ヘッドの印字開始位置を決定するように制御する制御手段と、を備えた構成のテープ印字装置がある（例えば、特許文献１参照。）。
そして、このような構成のテープ印字装置においては、テープに予め印刷されたマークに基づいて、制御手段が所定のフォーマットに対する印字ヘッドの印字開始位置を決定するように制御するので、予めテープに印字されているフォーマットに対して、常に適切な位置に印字を行うことができる。
【特許文献１】特開平９−２４００６６号公報（段落（００１４）〜（００６４）、図１〜図２２）
【発明の開示】
【発明が解決しようとする課題】
【０００３】
しかしながら、上述した従来のテープ印字装置においては、所定のフォーマットに対する印字開始位置に印字ヘッドが位置決めされるものであり、ユーザは印字データを入力後、一度印字してみないと所定のフォーマットの印字領域内に印字データが全て印字可能かどうか確認できないという問題がある。また、所定の情報を記憶するＩＣ回路部及び前記ＩＣ回路部に接続されて情報の送受信を行うＩＣ回路側アンテナを有する無線情報回路素子を被印字テープの長手方向に所定ピッチで設けた場合には、この無線情報回路素子のある部分が凸状になり、その部分に印刷するとかすれたり印刷できないという問題がある。
【０００４】
そこで、本発明は、上述した問題点を解決するためになされたものであり、被印字テープの長手方向に所定ピッチで無線情報回路素子が設けられた場合に、ユーザは該無線情報回路素子が含まれていない印字領域を確認しながら印字データの入力が可能となり、高品質の印字済みラベルテープを作成することが可能なテープカセット及びテープ印字装置を提供することを目的とする。
【課題を解決するための手段】
【０００５】
前記目的を達成するため請求項１に係るテープカセットは、長尺状のテープを搬送するためのテープ搬送手段と、前記テープに印字する印字手段と、を備えたテープ印字装置に使用され、前記テープが収納されて該テープ印字装置のカセット収納部に着脱可能なテープカセットにおいて、テープカセット本体に設けられて該テープカセットに関する所定のカセット情報を特定するカセット情報特定手段と、前記印字手段によって印字される被印字テープが巻回されて回転可能に設けられるテープスプールと、前記被印字テープの長手方向に所定ピッチで配置されて、所定の情報を記憶するＩＣ回路部及び前記ＩＣ回路部に接続されて情報の送受信を行うＩＣ回路側アンテナを有する無線情報回路素子と、前記被印字テープの一方の面の長手方向に前記所定ピッチと同一ピッチで形成されるセンサーマークと、前記被印字テープの前記各センサーマーク間の前記無線情報回路素子を含まない部分に前記所定ピッチと同一ピッチで設けられる印字領域と、を備え、前記各センサーマークと前記各無線情報回路素子と前記各印字領域とは、前記被印字テープの長手方向に繰り返し所定距離離間して設けられ、前記所定のカセット情報は、前記各印字領域の搬送方向先端縁部と該各印字領域のテープ搬送方向上流側の直前に配置される前記センサマークとの相対距離を表す距離データと該各印字領域の搬送方向長さを表す長さデータとから構成される印字領域情報を含むことを特徴とする。
【０００６】
また、請求項２に係るテープカセットは、請求項１に記載のテープカセットにおいて、前記所定のカセット情報は、前記各無線情報回路素子と該各無線情報回路素子のテープ搬送方向上流側の直前に配置される前記センサマークとの相対距離を表す回路素子位置情報を含むことを特徴とする。
【０００７】
また、請求項３に係るテープ印字装置は、長尺状のテープを搬送するためのテープ搬送手段と、入力手段と、前記入力手段によって入力又は編集された印字データを表示する表示手段と、前記表示手段に表示された印字データを前記テープに印字する印字手段と、を備え、前記テープが収納されたテープカセットが着脱可能に装着されるテープ印字装置において、前記テープカセットは、テープカセット本体に設けられて該テープカセットに関する所定のカセット情報を特定するカセット情報特定手段と、前記印字手段によって印字される被印字テープが巻回されて回転可能に設けられるテープスプールと、前記被印字テープの長手方向に所定ピッチで配置されて、所定の情報を記憶するＩＣ回路部及び前記ＩＣ回路部に接続されて情報の送受信を行うＩＣ回路側アンテナを有する無線情報回路素子と、前記被印字テープの一方の面の長手方向に前記所定ピッチと同一ピッチで形成されるセンサーマークと、前記被印字テープの前記各センサーマーク間の前記無線情報回路素子を含まない部分に前記所定ピッチと同一ピッチで設けられる印字領域と、を備え、前記各センサーマークと前記各無線情報回路素子と前記各印字領域とは、前記被印字テープの長手方向に繰り返し所定距離離間して設けられ、前記所定のカセット情報は、前記各印字領域の搬送方向先端縁部と該各印字領域のテープ搬送方向上流側の直前に配置される前記センサマークとの相対距離を表す距離データと該各印字領域の搬送方向長さを表す長さデータとから構成される印字領域情報を含み、テープ印字装置は、前記テープカセットから送り出された印字済みテープの前記センサーマークを検出する検出センサと、前記検出センサからテープ搬送方向上流側に所定の第１距離離れた位置に配置されるサーマルヘッドと、前記検出センサからテープ搬送方向上流側に前記所定の第１距離よりも小さい所定の第２距離離れた位置に配置されて前記テープカセットから送り出された印字済みテープを切断する切断手段と、前記カセット情報特定手段と協働して前記所定のカセット情報を読み取るカセット情報読取手段と、前記カセット情報読取手段を介して読み込んだ前記印字領域情報に基づいて前記被印字テープ上の印字領域を表す仮想テープを作成して前記表示手段に表示すると共に、前記印字データを該印字領域に印字した状態で表示するように表示制御する仮想テープ表示制御手段と、を備えていることを特徴とする。
【０００８】
また、請求項４に係るテープ印字装置は、請求項３に記載のテープ印字装置において、前記所定のカセット情報は、前記各無線情報回路素子と該各無線情報回路素子のテープ搬送方向上流側の直前に配置される前記センサマークとの相対距離を表す回路素子位置情報を含むことを特徴とする。
【０００９】
更に、請求項５に係るテープ印字装置は、請求項３又は請求項４に記載のテープ印字装置において、印字済みテープを挟んで前記検出センサに対向するように配置される装置側アンテナと、前記装置側アンテナを介して前記無線情報回路素子から前記所定の情報を無線通信により読み取り又は書き込む読取書込手段と、を備えていることを特徴とする。
【発明の効果】
【００１０】
請求項１に係るテープカセットでは、テープスプールに巻回される被印字テープの長手方向に無線情報回路素子が所定ピッチで配置されている。また、この被印字テープの一方の面の長手方向に各無線情報回路素子の所定ピッチと同一ピッチでセンサーマークが形成されている。また、被印字テープの各センサーマーク間の無線情報回路素子を含まない部分に所定ピッチと同一ピッチで印字領域が設けられている。そして、各センサーマークと各無線情報回路素子と各印字領域とは、被印字テープの長手方向に繰り返し所定距離離間して設けられている。また、テープカセット本体には、該テープカセットに関する所定のカセット情報を特定するカセット情報特定手段が設けられている。そして、このカセット情報には、各印字領域の搬送方向先端縁部と該各印字領域のテープ搬送方向上流側の直前に配置されるセンサマークとの相対距離を表す距離データと、該各印字領域の搬送方向長さを表す長さデータとから構成される印字領域情報が含まれている。
これにより、このカセット情報特定手段を介して各印字領域の搬送方向先端縁部と該各印字領域のテープ搬送方向上流側の直前に配置されるセンサマークとの相対距離を表す距離データと、該各印字領域の搬送方向長さを表す長さデータを得ることが可能となるため、被印字テープの各センサーマーク間の無線情報回路素子を含まない部分に所定ピッチと同一ピッチで設けられる印字領域に正確に印字することが可能となり、被印字テープの無線情報回路素子のある凸状部分に印刷することを防止でき、高品質の印字済みラベルテープを作成することが可能となる。
【００１１】
また、請求項２に係るテープカセットでは、カセット情報特定手段を介して各無線情報回路素子と該各無線情報回路素子のテープ搬送方向上流側の直前に配置されるセンサマークとの相対距離を表す回路素子位置情報を得ることが可能となるため、センサーマークを基準に搬送方向上流側の無線情報回路素子の配置位置を特定することが可能となり、被印字テープの無線情報回路素子のある凸状部分に印刷することを更に確実に防止でき、高品質の印字済みラベルテープを作成することが可能となる。
【００１２】
また、請求項３に係るテープ印字装置では、テープカセットが着脱可能に装着される。このテープカセットは、テープスプールに巻回される被印字テープの長手方向に無線情報回路素子が所定ピッチで配置されている。また、この被印字テープの一方の面の長手方向に各無線情報回路素子の所定ピッチと同一ピッチでセンサーマークが形成されている。また、被印字テープの各センサーマーク間の無線情報回路素子を含まない部分に所定ピッチと同一ピッチで印字領域が設けられている。そして、各センサーマークと各無線情報回路素子と各印字領域とは、被印字テープの長手方向に繰り返し所定距離離間して設けられている。また、テープカセット本体には、該テープカセットに関する所定のカセット情報を特定するカセット情報特定手段が設けられている。そして、このカセット情報には、各印字領域の搬送方向先端縁部と該各印字領域のテープ搬送方向上流側の直前に配置されるセンサマークとの相対距離を表す距離データと、該各印字領域の搬送方向長さを表す長さデータとから構成される印字領域情報が含まれている。
また、テープ印字装置は、印字済みテープのセンサーマークを検出する検出センサからテープ搬送方向上流側に所定の第１距離離れた位置にサーマルヘッドが配置されている。また、この検出センサからテープ搬送方向上流側に所定の第１距離よりも小さい所定の第２距離離れた位置に切断手段が配置されている。また、テープカセット本体に設けられるカセット情報特定手段と協働して所定のカセット情報を読み取るカセット情報読取手段が設けられている。そして、テープ印字装置は、カセット情報読取手段を介してテープカセットに設けられたカセット情報特定手段から印字領域情報を読み込む。続いて、テープ印字装置は、この印字領域情報を構成する各印字領域の搬送方向先端縁部と該各印字領域のテープ搬送方向上流側の直前に配置されるセンサマークとの相対距離を表す距離データと、該各印字領域の搬送方向長さを表す長さデータに基づいて被印字テープ上の印字領域を表す仮想テープを作成して表示手段に表示すると共に、入力手段を介して入力された印字データを該印字領域に印字した状態で表示する。
【００１３】
これにより、ユーザは仮想テープの該無線情報回路素子が含まれていない印字領域を確認しながら印字データの入力が可能となるため、被印字テープの無線情報回路素子を含まない印字領域に印字可能な印字データを容易に入力することが可能となる。また、被印字テープの無線情報回路素子のある凸状部分に印刷することを防止でき、高品質の印字済みラベルテープを作成することが可能となる。また、被印字テープのセンサーマークを検出後、第１距離搬送して先端側余白部分を切断しても、印字済みテープに全印字領域を確実に残すことが可能となる。
【００１４】
また、請求項４に係るテープ印字装置ではカセット情報読取手段を介してテープカセットに設けられたカセット情報特定手段から印字領域情報を構成する各印字領域の搬送方向先端縁部と該各印字領域のテープ搬送方向上流側の直前に配置されるセンサマークとの相対距離を表す距離データと、該各印字領域の搬送方向長さを表す長さデータだけでなく、更に各無線情報回路素子と該各無線情報回路素子のテープ搬送方向上流側の直前に配置されるセンサマークとの相対距離を表す回路素子位置情報を得ることが可能となる。
これにより、テープ印字装置は、センサーマークを基準に印字領域及び搬送方向上流側の無線情報回路素子の配置位置を特定することが可能となり、被印字テープの無線情報回路素子のある凸状部分に印刷することを更に確実に防止でき、高品質の印字済みラベルテープを作成することが可能となる。
【００１５】
更に、請求項５に係るテープ印字装置では、被印字テープのセンサーマークを検出後、所定距離搬送することにより、装置側アンテナを介して無線情報回路素子から所定の情報を無線通信により読み取り又は該無線情報回路素子に所定の情報を書き込むことが可能となる。
【発明を実施するための最良の形態】
【００１６】
以下、本発明に係るテープカセット及びテープ印字装置について、具体化した一実施例に基づいて図面を参照しつつ詳細に説明する。
【実施例】
【００１７】
先ず、本実施例に係るテープ印字装置の概略構成について図１乃至図３に基づき説明する。
図１及び図２に示すように、本実施例に係るテープ印字装置１には、文書データからなるテキストを作成するための文字入力キー２、テキスト等の印字を指令する印字キー３、及び、改行指令や各種処理の実行、選択を指令するリターンキー４、文字等のキャラクタを複数行に渡って表示する液晶ディスプレイ（ＬＣＤ）７上でカーソルを上下、左右に移動させるカーソルキー５等を設けたキーボード６、及び、テープカセット２１を収納するカセット収納部８が収納カバー１３で覆われて配設されている。また、このキーボード６の下側には、制御回路部が構成される制御基板１２が配設されている。また、カセット収納部８の左側面部には、印字されたテープが排出されるラベル排出口１６が形成されている。また、該カセット収納部８の右側面部には、電源アダプタが取り付けられるアダプタ挿入口１７、及び不図示のパーソナルコンピュータと接続するためのＵＳＢケーブルが取り付けられるコネクタ１８が設けられている。
【００１８】
また、このカセット収納部８には、サーマルヘッド９と、このサーマルヘッド９に対向するプラテンローラ１０と、このプラテンローラ１０の下流側のテープサブローラ１１と、このテープサブローラ１１に対向する金属製のテープ駆動ローラ軸１４とが配置されている他に、更に、テープカセット２１内にインクリボンが収納されている場合には、このインクリボンを送るリボン巻取軸１５等が配置されている。
このサーマルヘッド９は、正面視略縦長四角形の平板状で、前面の左端縁部には、所定個数の各発熱素子Ｒ1〜Ｒn（ｎは、例えば、１２８個又は２５６個である。）が、該左端縁部の辺に沿って一列に配列されて形成されている。また、該サーマルヘッド９は、メッキ鋼板やステンレス鋼板等により形成される正面視略四角形の放熱板９Ａの前面の左端縁部に、各発熱素子Ｒ1〜Ｒn の配列方向が、該放熱板９Ａの左端縁部の辺に平行になるように接着剤などによって固着されている。そして、該放熱板９Ａは、各発熱素子Ｒ1〜Ｒnの配列方向が、テープカセット２１の開口部２２における感熱型の被印字テープ５３（図３参照）の搬送方向に略直交するように、ビス止め等によってカセット収納部８の下側に取り付けられている。
【００１９】
また、リボン巻取軸１５は、後述のステッピングモータ等により構成されるテープ送りモータ９２（図９参照）から適宜の駆動機構を介して回転駆動される。また、テープ駆動ローラ軸１４は、テープ送りモータ９２から適宜の伝達機構を介して回転駆動され、導電性樹脂製のテープ送りローラ６３（図３参照）を回転駆動する
【００２０】
また、図２及び図３に示すように、カセット収納部８に上方から装着されるテープカセット２１の下ケース２３の外周側壁面２４には、この外周側壁面２４のテープカセット２１の高さ方向中央位置に、該テープカセット２１に関するカセット情報が記憶されている無線タグ回路素子２５が配設されている。また、カセット収納部８のこの無線タグ回路素子２５に対向する側壁部８Ａには、この無線タグ回路素子２５との間でＵＨＦ帯等の高周波を用いて無線通信により信号の送受を行うアンテナ２６が設けられている。
また、図３に示すように、テープカセット２１のテープ排出口２７の近傍には、後述のように所定タイミングで印字済みラベル用テープ２８を所定の長さに切断しラベル状の無線タグラベル（詳細は後述）を生成するテープ切断装置としてのはさみ式カッターユニット３０が配置されている。このカッターユニット３０は、固定刃３０Ａと、後述の切断用モータ５４によって固定刃３０Ａに対して作動して印字済みラベル用テープ２８を切断する可動刃３０Ｂとから構成されている。
また、このカッターユニット３０のテープ排出方向下流側には、後述のように印字済みラベル用テープ２８に設けられる無線タグ回路素子３２との間でＵＨＦ帯等の高周波を用いて無線通信により信号の送受を行うアンテナ３３が設けられている。又、このアンテナ３３の印字済みラベル用テープ２８を挟んで反対側には、後述のように印字済みラベル用テープ２８の背面部に印刷されたセンサマーク６５（図５参照）を光学的に検出する反射型センサ３５が設けられている。ここで、アンテナ３３及び反射型センサ３５とカッターユニット３０とは、テープ搬送方向に、距離ｌ１離間して配置されている。また、カッターユニット３０とサーマルヘッド９とは、テープ搬送方向に距離ｌ２離間して配置されている。
【００２１】
また、図２及び図３に示すように、テープカセット２１は、上ケース３８と下ケース２３とを有する。このテープカセット２１には、リボン巻取軸１５が挿入される支持孔４２が形成されている（インクリボンが収納される場合には、この支持孔４２によってインクリボンを引き出すとともに巻取るインクリボン巻取スプールが支持される。）。また、後述するように剥離紙５３Ｃの背面側に所定ピッチでセンサーマーク６５が印刷されると共に所定ピッチで無線タグ回路素子３２が予め設けられる感熱型の被印字テープ５３がこの剥離紙５３Ｃ（図４参照）を外側に向けて巻回されたテープスプール５６を回動可能に支持する支持孔４３が形成されている。
尚、図２中には、上ケース３８に形成された各支持孔４２、４３のみしか図示されていないが、下ケース２３についても同様に上ケース３８の各支持孔４２、４３に対向して支持孔４２、４３が形成されている。
【００２２】
また、図２に示すように、カセット収納部８の底面部には、同一高さ寸法に２つの位置決めピン４５、４６が立設されている。また、テープカセット２１には、この各位置決めピン４５、４６の上端部が底面部に当接される各ピン孔（不図示）が、テープカセット２１の両面から上下対称となるように設けられている。これにより、テープカセット２１をカセット収納部８に装着した際に、フロントローディング及びボトムローディングのいずれの場合においても、各位置決めピン４５、４６と各ピン孔４７、４８とを介して、カセット収納部８内で適正に位置決めがされ得るものである。また、テープカセット２１に収納される感熱型の被印字テープ５３のテープ幅が異なっても、常に無線タグ回路素子２５とアンテナ２６とが対向するように構成されている。
【００２３】
また、図３に示すように、テープカセット２１内には、感熱型の被印字テープ５３をテープスプール５６に巻回して、下ケース２３の底面に立設されるカセットボス６０に回転可能に嵌挿して収納したものである。また、カセットボス６０の斜め下側方向（図３中、斜め右下側方向）には、略円筒状のリール５５が、底面に立設されるリールボス５９に回転可能に嵌挿されている。そして、このテープスプール５６から引き出された感熱型の被印字テープ５３は、リール５５の外周面に沿って案内されてサーマルヘッド９が挿入される開口部２２に入り、サーマルヘッド９及びプラテンローラ１０の間を通過する。その後、サーマルヘッド９を介して印字された被印字テープ５３は、テープカセット２１の片側下方部（図３中、左下側部）に回転自在に設けられ、テープ送りモータ９２の駆動を受けて回転するテープ送りローラ６３と、このテープ送りローラ６３に対向配置されるテープサブローラ１１との間を通過して、テープ排出口２７から印字済みラベル用テープ２８としてテープカセット２１の外部に送り出されて、カッタユニット３０、アンテナ３３及び反射型センサ３５を経てテープ印字装置１のラベル排出口１６より排出される。
【００２４】
ここで、この感熱型の被印字テープ５３の概略構成について図４に基づいて説明する。
図４に示すように、被印字テープ５３は、ベーステープ５３Ａの表面に感熱発色層が形成され、裏面に粘着剤層５３Ｂを介して剥離紙５３Ｃが剥離可能に貼付された３層構造に構成されている。また、粘着剤層５３Ｂの裏側（図４中下側）には、無線タグ回路素子３２が、後述のように所定ピッチＬで設けられ、剥離紙５３Ｃで覆われている。また、剥離紙５３Ｃは、最終的にラベル状に完成した印字済みラベル用テープ２８が所定の商品等に貼り付けられる際に、これを剥がすことで粘着層５３Ｂにより当該商品等に接着できるようにしたものである。また、剥離紙５３Ｃの裏面には、後述のように各センサーマーク６５が所定ピッチＬで予め印刷されている（図５参照）。
【００２５】
次に、被印字テープ５３の剥離紙５３Ｃの背面部に印刷されるセンサーマーク６５と無線タグ回路素子３２の位置関係について図５乃至図８に基づいて説明する。
ここで、本実施例の被印字テープ５３は、センサーマーク６５と無線タグ回路素子３２の位置関係が異なるタイプ１の被印字テープ５３１、タイプ２の被印字テープ５３２、タイプ３の被印字テープ５３３の３種類のものが設けられており、先ず、タイプ１の被印字テープ５３１に係るセンサーマーク６５と無線タグ回路素子３２の位置関係について図５及び図６に基づいて説明する。
図５及び図６に示すように、被印字テープ５３１の剥離紙５３Ｃの背面部には、テープ幅方向に長い正面視細長四角形の各センサーマーク６５が、テープ幅方向の中心線に対して垂直且つ対称にテープ搬送方向に沿って所定ピッチＬで予め印刷されている。また、被印字テープ５３１は、テープ幅方向の中心線上の各センサーマーク６５の間に、各センサーマーク６５からテープ排出方向（矢印Ａ１方向）の距離ｌ１に等しい位置に、各無線タグ回路素子３２が配置されている。即ち、各センサーマーク６５からテープ排出方向（矢印Ａ１方向）に対してテープ搬送方向上流側の距離ｌ３＝（Ｌ−ｌ１）に等しい位置に、各無線タグ回路素子３２が配置されている。このため、被印字テープ５３１は各無線タグ回路素子３２が、テープ幅方向の中心線上に、テープ搬送方向に沿って所定ピッチＬで予め搭載されている。尚、被印字テープ５３１のテープ幅が異なっても、各無線タグ回路素子３２はテープ幅方向の中心線上に配置されている。
一方、アンテナ３３及び反射型センサ３５とカッターユニット３０とは、テープ搬送方向に、距離ｌ１離間して配置されている（図３参照）。また、カッターユニット３０とサーマルヘッド９とは、テープ搬送方向に距離ｌ２離間して配置されている（図３参照）。
【００２６】
これにより、印字済みラベル用テープ２８のセンサーマーク６５が、アンテナ３３及び反射型センサ３５に対向する位置に達した場合には、このセンサーマーク６５からテープカセット２１側、即ち搬送方向上流側のテープ長さｌ１の位置にカッターユニット３０が対向することとなる。また、このセンサーマーク６５から搬送方向上流側のテープ長さｌ４＝（ｌ１＋ｌ２）の位置にサーマルヘッド９が位置し、被印字テープ５３１の印字領域の先端縁部に対向することとなる。また、印字済みラベル用テープ２８の無線タグ回路素子３２が、アンテナ３３及び反射型センサ３５に対向する位置に達した場合には、センサーマーク６５のテープ排出方向（矢印Ａ１方向）側の側端縁部がカッターユニット３０に対向することとなる。また、各無線タグ回路素子３２の搬送方向下流側に印字領域が設けられている。
【００２７】
次に、タイプ２の被印字テープ５３２に係るセンサーマーク６５と無線タグ回路素子３２の位置関係について図７に基づいて説明する。
図７に示すように、被印字テープ５３２の剥離紙の背面部には、上記被印字テープ５３１と同様に、幅方向に長い正面視細長四角形の各センサーマーク６５が、テープ幅方向の中心線に対して垂直且つ対称にテープ搬送方向に沿って所定ピッチＬで予め印刷されている。また、テープ幅方向の中心線上の各センサーマーク６５の間に、各センサーマーク６５からテープ排出方向（矢印Ａ１方向）に対して反対の方向側、即ちテープ搬送方向上流側の距離ｌ３（ｌ３＞ｌ１＋ｌ２）に等しい位置に、各無線タグ回路素子３２が配置されている。更に、無線タグ回路素子３２を含む非印字領域のテープ長手方向長さがｌ５であり、ｌ３＝（ｌ１＋ｌ２＋ｌ５／２）となっている。
このため、被印字テープ５３２は各無線タグ回路素子３２が、テープ幅方向の中心線上に、テープ搬送方向に沿って所定ピッチＬで予め搭載されている。また、アンテナ３３及び反射型センサ３５とカッターユニット３０とは、テープ搬送方向に、距離ｌ１離間して配置されている（図３参照）。また、カッターユニット３０とサーマルヘッド９とは、テープ搬送方向に距離ｌ２離間して配置されている（図３参照）。そして、各センサーマーク６５と各無線タグ回路素子３２との距離ｌ３は、距離ｌ１と距離ｌ２との和（ｌ１＋ｌ２）よりも大きくなるように設けられている。
【００２８】
従って、印字済みラベル用テープ２８のセンサーマーク６５が、アンテナ３３及び反射型センサ３５に対向する位置に達した場合には、このセンサーマーク６５からテープカセット２１側のテープ長さｌ１の位置にカッターユニット３０が対向することとなる。また、アンテナ３３及び反射型センサ３５に対向するセンサーマーク６５からテープカセット２１側、即ちテープ搬送方向上流側のテープ長さ（ｌ１＋ｌ２）の位置にサーマルヘッド９が位置し、被印字テープ５３２の非印字領域に対向することとなる。そして、印字済みラベル用テープ２８のセンサーマーク６５が、アンテナ３３及び反射型センサ３５に対向する位置から距離（ｌ１＋ｌ２）搬送された場合には、無線タグ回路素子３２は、アンテナ３３及び反射型センサ３５からサーマルヘッド９側のテープ長さ（ｌ３−（ｌ１＋ｌ２））の位置に配置される。また、印字済みラベル用テープ２８のセンサーマーク６５が、アンテナ３３及び反射型センサ３５に対向する位置から距離ｌ４（ｌ４＞ｌ３）搬送された場合には、サーマルヘッド９が、被印字テープ５３２の印字領域の先端縁部に対向することとなる。また、各無線タグ回路素子３２の搬送方向上流側に印字領域が設けられている。
【００２９】
続いて、タイプ３の被印字テープ５３３に係るセンサーマーク６５と無線タグ回路素子３２の位置関係について図８に基づいて説明する。
図８に示すように、被印字テープ５３３の剥離紙の背面部には、上記被印字テープ５３１と同様に、幅方向に長い正面視細長四角形の各センサーマーク６５が、テープ幅方向の中心線に対して垂直且つ対称にテープ搬送方向に沿って所定ピッチＬで予め印刷されている。また、テープ幅方向の中心線上の各センサーマーク６５の間に、各センサーマーク６５からテープ排出方向（矢印Ａ１方向）に対して反対の方向側、即ちテープ搬送方向上流側の距離ｌ３（例えば、ｌ３＝（Ｌ＋（ｌ１＋ｌ２））／２）である。即ち、印字可能領域のテープ長手方向略中央位置である。）に等しい位置に、各無線タグ回路素子３２が配置されている。このため、被印字テープ５３３は各無線タグ回路素子３２が、テープ幅方向の中心線上に、テープ搬送方向に沿って所定ピッチＬで予め搭載されている。また、無線タグ回路素子３２を含む非印字領域のテープ長手方向長さはｌ５であり、この無線タグ回路素子３２が配置される非印字領域を挟んで搬送方向下流側にテープ長手方向長さｌ６の第１印字領域が設けられ、搬送方向上流側にテープ長手方向長さｌ７の第２印字領域が設けられている。
尚、無線タグ回路素子３２のセンサーマーク６５からテープ排出方向（矢印Ａ１方向）に対して反対の方向側、即ちテープ搬送方向上流側の距離ｌ３は、ｌ３＝（Ｌ＋（ｌ１＋ｌ２））／２だけでなく、無線タグ回路素子３２が配置される非印字領域のテープ長手方向長さをｌ５とし、最小印字幅をａとした場合には、（ｌ１＋ｌ２）＋ｌ５／２＋ａ≦ｌ３＜Ｌ−ｌ５／２−ａの範囲内の寸法として、この無線タグ回路素子３２が配置される非印字領域を挟んで搬送方向下流側に第１印字領域を設け、搬送方向上流側に第２印字領域を設けてもよい。
【００３０】
従って、印字済みラベル用テープ２８のセンサーマーク６５が、アンテナ３３及び反射型センサ３５に対向する位置に達した場合には、このセンサーマーク６５からテープカセット２１側のテープ長さｌ１の位置にカッターユニット３０が対向することとなる。また、アンテナ３３及び反射型センサ３５に対向するセンサーマーク６５からテープカセット２１側、即ちテープ搬送方向上流側のテープ長さｌ４＝（ｌ１＋ｌ２）の位置にサーマルヘッド９が位置し、被印字テープ５３３の第１印字領域の先端縁部に対向することとなる。そして、印字済みラベル用テープ２８のセンサーマーク６５が、アンテナ３３及び反射型センサ３５に対向する位置から距離（ｌ１＋ｌ２）搬送された場合には、無線タグ回路素子３２は、アンテナ３３及び反射型センサ３５からサーマルヘッド９側のテープ長さ（ｌ３−（ｌ１＋ｌ２））の位置に配置される。
【００３１】
次に、テープ印字装置１の制御構成について図９に基づいて説明する。
図９に示すように、テープ印字装置１の制御基板１２上に形成される制御回路部８０は、ＣＰＵ８１、ＣＧ（キャラクタジェネレータ）ＲＯＭ８２、ＲＯＭ８３、フラッシュメモリ（ＥＥＰＲＯＭ）８４、ＲＡＭ８５、入出力インターフェース（Ｉ／Ｆ）８６、及び通信用インターフェース（Ｉ／Ｆ）８７等を備えている。また、ＣＰＵ８１、ＣＧＲＯＭ８２、ＲＯＭ８３、フラッシュメモリ８４、ＲＡＭ８５、入出力インターフェース（Ｉ／Ｆ）８６、及び通信用インターフェース（Ｉ／Ｆ）８７は、バス線８８により相互に接続されて、相互にデータのやり取りが行われる。
【００３２】
ここに、ＣＧＲＯＭ８２には各キャラクタに対応するドットパターンデータが記憶されており、ドットパターンデータがＣＧＲＯＭ８２から読み出され、そのドットパターンデータに基づいて液晶ディスプレイ（ＬＣＤ）７上にドットパターンが表示される。
また、ＲＯＭ８３には、各種のプログラムを記憶させておくものであり、後述のようにテープカセット２１の無線タグ回路素子２５からテープカセット２１に関するカセット情報を読み出し液晶ディスプレイ（ＬＣＤ）７上に各被印字テープ５３１、５３２、５３３の印字領域を表す仮想テープを表示するプログラムや、印字条件を設定する処理プログラムや、印字済みラベル用テープ２８の無線タグ回路素子３２に所定情報を書き込み、その後、この印字済みラベル用テープ２８を切断する処理プログラム等が予め格納されている。
【００３３】
そして、ＣＰＵ８１はかかるＲＯＭ８３に記憶されている各種のプログラムに基づいて各種の演算を行なうものである。また、ＲＯＭ８３には、アルファベット文字や数字、記号等のキャラクタを印字するための多数のキャラクタの各々に関して、印字用ドットパターンデータが、書体（ゴシック系書体、明朝体書体等）毎に分類され、各書体毎に複数種類（１６、２４、３２、４８等のドットサイズ）の印字文字サイズ分、コードデータに対応させて格納されている。また、階調表現を含むグラフィック画像を印字するためのグラフィックパターンデータも記憶されている。また、このＲＯＭ８３には、キーボード６から入力された文字や数字等のキャラクタのコードデータに対応させて液晶ディスプレイコントローラ（ＬＣＤＣ）９４を制御する表示駆動制御プログラム、印字バッファ８５Ａのデータを読み出してサーマルヘッド９やテープ送りモータ９２を駆動する印字駆動制御プログラム等、その他テープ印字装置１の制御上必要な各種のプログラムが格納されている。
また、フラッシュメモリ８４は、テープカセット２１の無線タグ回路素子２５からリード／ライトモジュール９３を介して読み込んだカセット情報のデータや、コネクタ１８を介して外部のコンピュータ装置から受信した印字データや各種図柄データのドットパターンデータ等に登録番号を付して記憶するものであり、テープ印字装置１の電源をオフしてもこれらの記憶内容を保持している。
【００３４】
また、ＲＡＭ８５は、ＣＰＵ８１により演算された各種の演算結果を一時的に記憶させておくためのものである。また、ＲＡＭ８５には、印字バッファ８５Ａ、編集入力領域８５Ｂ、表示画像バッファ８５Ｃ、ワーク領域８５Ｄ等の各種のメモリ領域が設けられている。この印字バッファ８５Ａには、複数の文字や記号等の印字用ドットパターンがドットパターンデータとして格納され、サーマルヘッド９はかかる印字バッファ８５Ａに記憶されているドットパターンデータに従ってドット印字を行う。また、編集入力領域８５Ｂには、キーボード６から入力された文書データ等の印字データとしての編集テキストが格納される。また、表示画像バッファ８５Ｃには、液晶ディスプレイ７に表示されるグラフィックデータ等が格納される。
【００３５】
また、入出力Ｉ／Ｆ８６には、キーボード６、反射型センサ３５と、各アンテナ２５、３３を介して各無線タグ回路素子２５、３２の情報を読み出し・書き込むリード／ライトモジュール（Ｒ／Ｗモジュール）９３、液晶ディスプレイ（ＬＣＤ）７に表示データを出力する為のビデオＲＡＭを有するディスプレイコントローラ（ＬＣＤＣ）９４と、サーマルヘッド９を駆動する為の駆動回路９１と、テープ送りモータ９２を駆動する為の駆動回路９５と、切断用モータ９６を駆動する為の駆動回路９７とが夫々接続されている。
また、通信用Ｉ／Ｆ８７は、例えば、ＵＳＢ（Universal Serial Bus）等から構成され、外部のコンピュータ装置とＵＳＢケーブル等によって接続され、双方向データ通信が可能になっている。
よって、キーボード６の文字キーを介して文字等が入力された場合、そのテキスト（文書データ）が編集入力領域８５Ｂに順次記憶されていくとともに、ドットパターン発生制御プログラム及び表示駆動制御プログラムに基づいてキーボード６を介して入力された文字等に対応するドットパターンが液晶ディスプレイ（ＬＣＤ）７上に表示される。また、サーマルヘッド９は駆動回路９１を介して駆動され、印字バッファ領域８５Ａに記憶されたドットパターンデータの印字を行い、これと同期してテープ送りモータ９２が駆動回路９５を介してテープの送り制御を行うものである。また、外部のコンピュータ装置から通信用Ｉ／Ｆ８７を介して入力された印字データを編集入力領域８５Ｂが順次記憶し、ドットパターン発生制御プログラムに基づいて印字バッファ領域８５Ａにドットパターンデータとして記憶されて、サーマルヘッド９を介して感熱型の各被印字テープ５３１、５３２、５３３に印字される。
【００３６】
次に、リード／ライトモジュール（Ｒ／Ｗモジュール）９３の機能構成について図１０に基づいて説明する。
図１０に示すように、リード／ライトモジュール９３は、制御回路１００より切り替えられるアンテナスイッチ（切替）回路１０１と、このアンテナスイッチ回路１０１を経て各アンテナ２６、３３を介し各無線タグ回路素子２５、３２に対して信号を送信する送信部１０２と、各アンテナ２６、３３により受信された各無線タグ回路素子２５、３２からの反射波を入力する受信部１０３と、送受分離器１０４とから構成される。
このアンテナスイッチ回路１０１は、周知の高周波用ＦＥＴやダイオードを用いたスイッチ回路であり、制御回路１００からの選択信号によりアンテナ２６、３３のいずれかを送受分離器１０４に接続するものである。
【００３７】
また、送信部１０２は、各無線タグ回路素子２５、３２のＩＣ回路部６７の無線タグ情報にアクセスする(読み取り／書き込みを行う)ための搬送波を発生させる水晶振動子１０５、ＰＬＬ（Phase Locked Loop）１０６、及びＶＣＯ（Voltage Controlled  Oscillator）１０７と、各無線タグ回路素子２５、３２から読み出された信号を処理するための信
号処理回路１１１から供給される信号に基づいて上記発生させられた搬送波を変調（この例では信号処理回路１１０からの「ＴＸ＿ＡＳＫ」信号に基づく振幅変調）する送信乗算回路１０８（但し振幅変調の場合は増幅率可変アンプ等を用いてもよい）と、その送信乗算回路１０８により変調された変調波を増幅（この例では制御回路１００からの「ＴＸ＿ＰＷＲ」信号によって増幅率を決定される増幅）する送信アンプ１０９とを備えている。そして、上記発生される搬送波は、好適にはＵＨＦ帯の周波数を用いており、上記送信アンプ１０９の出力は、送受分離器１０４を介してアンテナ２６、３３のいずれかに伝達されて無線タグ回路素子２５、３２のＩＣ回路部６７に供給される。
【００３８】
受信部１０３は、アンテナ２６、３３により受信された無線タグ回路素子２５、３２からの反射波と上記発生させられた搬送波とを掛け合わせる受信第１乗算回路１１１と、その受信第１乗算回路１１１の出力から必要な帯域の信号のみを取り出すための第１バンドパスフィルタ１１２と、この第１バンドパスフィルタ１１２の出力を増幅して第１リミッタ１１３に供給する受信第１アンプ１１４と、上記アンテナ２６、３３により受信された無線タグ回路素子２５、３２からの反射波と上記発生された後に位相が９０°ずらされた搬送波とを掛け合わせる受信第２乗算回路１１５と、その受信第２乗算回路１１５の出力から必要な帯域の信号のみを取り出すための第２バンドパスフィルタ１１６と、この第２バンドパスフィルタ１１６の出力を入力するとともに増幅して第２リミッタ１１７に供給する受信第２アンプ１１８とを備えている。そして、上記第１リミッタ１１３から出力される信号「ＲＸＳ−Ｉ」及び第２リミッタ１１７から出力される信号「ＲＸＳ−Ｑ」は、上記信号処理回路１１０に入力されて処理される。
また、受信第１アンプ１１４及び受信第２アンプ１１８の出力は、ＲＳＳＩ（Received
Signal  Strength  Indicator)回路１１９にも入力され、それらの信号の強度を示す信号「ＲＳＳＩ」が信号処理回路１１０に入力されるようになっている。このようにして、本実施例のリード／ライトモジュール９３では、Ｉ−Ｑ直交復調によって無線タグ回路素子２５、３２からの反射波の復調が行われる。
【００３９】
次に、無線タグ回路素子２５、３２の機能構成について図１１に基づいて説明する。尚、無線タグ回路素子２５と無線タグ回路素子３２との機能構成はほぼ同じ構成のため、無線タグ回路素子３２の機能構成について説明する。
図１１に示すように、無線タグ回路素子３２は、リード／ライトモジュール９３側のアンテナ３３とＵＨＦ帯等の高周波を用いて非接触で信号の送受信を行う上記アンテナ（ＩＣ回路側アンテナ）６８と、このアンテナ６８に接続された上記ＩＣ回路部６７とを有している。
ＩＣ回路部６７は、アンテナ６８により受信された搬送波を整流する整流部１２１と、この整流部１２１により整流された搬送波のエネルギを蓄積し駆動電源とするための電源部１２２と、上記アンテナ６８により受信された搬送波からクロック信号を抽出して制御部１２３に供給するクロック抽出部１２４と、所定の情報信号を記憶し得る情報記憶手段として機能するメモリ部１２５と、上記アンテナ６８に接続された変復調部１２６と、上記整流部１２１、クロック抽出部１２４、及び変復調部１２６等を介して無線タグ回路素子３２の作動を制御するための上記制御部１２３とを備えている。
【００４０】
変復調部１２６は、アンテナ６８により受信されたリード／ライトモジュール９３のアンテナ３３からの無線通信信号の復調を行うと共に、制御部１２３からの応答信号に基づき、アンテナ６８より受信された搬送波を変調反射する。
制御部１２３は、変復調部１２６により復調された受信信号を解釈し、メモリ部１２５において記憶された情報信号に基づいて返信信号を生成し、この変復調部１２６により返信する制御等の基本的な制御を実行する。
なお、詳細な図示を省略するが、テープカセット２１に設けられる無線タグ回路素子２５についても、上記無線タグ回路素子３２と同様の構造であって、ＩＣ回路部６７（図示せず）及びアンテナ６８（図示せず）等が備えられている。
【００４１】
次に、タイプ１の被印字テープ５３１が収納されるテープカセット２１に備えられた無線タグ回路素子２５のメモリ部１２５に記憶されるカセット情報の一例について図１２に基づいて説明する。
図１２に示すように、テープカセット２１に備えられた無線タグ回路素子２５のメモリ部１２５には、「データの種類」と、この各「データ種類」に対応する「データの内容」とから構成されている。
また、「データ種類」には、収納された被印字テープ５３１のテープ幅を表す「テープ幅」が格納され、この「テープ幅」に対応する「データ内容」として「１２ｍｍ」が格納されている。また、「データ種類」には、収納された被印字テープ５３１のテープ種類を表す「テープ種類」が格納され、この「テープ種類」に対応する「データ内容」として「感熱テープ（糊付）が格納されている。また、「データ種類」には、収納されているテープ長さを表す「テープ長さ」が格納され、この「テープ長さ」に対応する「データ内容」として「８ｍ」が格納されている。また、「データ種類」には、無線タグ回路素子３２の配置される所定ピッチ長さ、即ちセンサーマーク６５の配置される所定ピッチ長さを表す「ＩＣチップのピッチ長Ｌ」が格納され、この「ＩＣチップのピッチ長Ｌ」に対応する「データ内容」として「１００ｍｍ」が格納されている。また、「データ種類」には、印字領域を表す「印字範囲」が格納され、この「印字範囲」に対応する「データ内容」として、搬送方向側のセンサーマーク６５からの印字領域の長手方向の長さを表す「センサーマーク位置（左）から２５〜９０ｍｍの範囲」が格納されている。これにより、ｌ４＝２５ｍｍである。また、「データ種類」には、搬送方向側のセンサーマーク６５から搬送方向上流側の無線タグ回路素子３２までの距離ｌ３（図６参照）を表す「センサーマーク＝ＩＣチップセンタ位置ｌ３」が格納され、この「センサーマーク＝ＩＣチップセンタ位置ｌ３」に対応する「データ内容」として「９５ｍｍ」が格納されている。また、「データ種類」には、被印字テープ５３１の印字される文字等の色を表す「印字色」が格納され、この「印字色」に対応する「データ内容」として「黒」が格納されている。
【００４２】
次に、タイプ２の被印字テープ５３２が収納されるテープカセット２１に備えられた無線タグ回路素子２５のメモリ部１２５に記憶されるカセット情報の一例について図１３に基づいて説明する。
図１３に示すように、テープカセット２１に備えられた無線タグ回路素子２５のメモリ部１２５には、「データの種類」と、この各「データ種類」に対応する「データの内容」とから構成されている。
また、「データ種類」には、収納された被印字テープ５３２のテープ幅を表す「テープ幅」が格納され、この「テープ幅」に対応する「データ内容」として「１２ｍｍ」が格納されている。また、「データ種類」には、収納された被印字テープ５３２のテープ種類を表す「テープ種類」が格納され、この「テープ種類」に対応する「データ内容」として「感熱テープ（糊付）が格納されている。また、「データ種類」には、収納されているテープ長さを表す「テープ長さ」が格納され、この「テープ長さ」に対応する「データ内容」として「８ｍ」が格納されている。また、「データ種類」には、無線タグ回路素子３２の配置される所定ピッチ長さ、即ちセンサーマーク６５の配置される所定ピッチ長さを表す「ＩＣチップのピッチ長Ｌ」が格納され、この「ＩＣチップのピッチ長Ｌ」に対応する「データ内容」として「１００ｍｍ」が格納されている。また、「データ種類」には、印字領域を表す「印字範囲」が格納され、この「印字範囲」に対応する「データ内容」として、搬送方向側のセンサーマーク６５からの印字領域の長手方向の長さを表す「センサーマーク位置（左）から３５〜１００ｍｍの範囲」が格納されている。これにより、ｌ４＝３５ｍｍである。また、「データ種類」には、搬送方向側のセンサーマーク６５から搬送方向上流側の無線タグ回路素子３２までの距離ｌ３（図７参照）を表す「センサーマーク＝ＩＣチップセンタ位置ｌ３」が格納され、この「センサーマーク＝ＩＣチップセンタ位置ｌ３」に対応する「データ内容」として「３０ｍｍ」が格納されている。また、「データ種類」には、被印字テープ５３２の印字される文字等の色を表す「印字色」が格納され、この「印字色」に対応する「データ内容」として「黒」が格納されている。
【００４３】
次に、タイプ３の被印字テープ５３３が収納されるテープカセット２１に備えられた無線タグ回路素子２５のメモリ部１２５に記憶されるカセット情報の一例について図１４に基づいて説明する。
図１４に示すように、テープカセット２１に備えられた無線タグ回路素子２５のメモリ部１２５には、「データの種類」と、この各「データ種類」に対応する「データの内容」とから構成されている。
また、「データ種類」には、収納された被印字テープ５３３のテープ幅を表す「テープ幅」が格納され、この「テープ幅」に対応する「データ内容」として「１２ｍｍ」が格納されている。また、「データ種類」には、収納された被印字テープ５３３のテープ種類を表す「テープ種類」が格納され、この「テープ種類」に対応する「データ内容」として「感熱テープ（糊付）が格納されている。また、「データ種類」には、収納されているテープ長さを表す「テープ長さ」が格納され、この「テープ長さ」に対応する「データ内容」として「８ｍ」が格納されている。また、「データ種類」には、無線タグ回路素子３２の配置される所定ピッチ長さ、即ちセンサーマーク６５の配置される所定ピッチ長さを表す「ＩＣチップのピッチ長Ｌ」が格納され、この「ＩＣチップのピッチ長Ｌ」に対応する「データ内容」として「１００ｍｍ」が格納されている。また、「データ種類」には、第１印字領域と第２印字領域を表す「印字範囲」が格納され、この「印字範囲」に対応する「データ内容」として、搬送方向側のセンサーマーク６５からの第１印字領域と第２印字領域の各長手方向の長さを表す「センサーマーク位置（左）から２５〜５７．５ｍｍ、６７．５〜１００ｍｍの範囲」が格納されている。これにより、センサーマーク６５から被印字テープ５３３の第１印字領域の先端縁部までのテープ長手方向長さｌ４＝２５ｍｍ、非印字領域のテープ長手方向長さｌ５＝１０ｍｍ、第１印字領域のテープ長手方向長さｌ６＝３２．５ｍｍ、第２印字領域のテープ長手方向長さｌ７＝３２．５ｍｍである。また、「データ種類」には、搬送方向側のセンサーマーク６５から搬送方向上流側の無線タグ回路素子３２までの距離ｌ３（図８参照）を表す「センサーマーク＝ＩＣチップセンタ位置ｌ３」が格納され、この「センサーマーク＝ＩＣチップセンタ位置ｌ３」に対応する「データ内容」として「６２．５ｍｍ」が格納されている。また、「データ種類」には、被印字テープ５３３の印字される文字等の色を表す「印字色」が格納され、この「印字色」に対応する「データ内容」として「黒」が格納されている。
【００４４】
尚、本実施例では、テープカセット２１に収納される被印字テープ５３の「テープ幅」の種類は、３．５ｍｍ、６ｍｍ、９ｍｍ、１２ｍｍ、１８ｍｍ、２４ｍｍ、３６ｍｍ、４８ｍｍの８種類である。また、テープカセット２１に収納される被印字テープ５３の「テープ種類」の種類は、レセプターテープ（糊付）、感熱テープ（糊付）、レセプターテープ（糊無し）、感熱テープ（糊無し）の４種類である。また、テープカセット２１に収納される被印字テープ５３の「テープ長さ」の種類は、５ｍ、８ｍ、１６ｍの３種類である。また、テープカセット２１に収納される被印字テープ５３の文字などの色を表す「印字色」の種類は、黒、赤、青、緑、イエロー、マゼンダ、シアン等である。
尚、被印字テープ５３の「テープ種類」がレセプターテープ（糊無し）、感熱テープ（糊無し）の場合には、それぞれベーステープの裏面に直接各無線タグ回路素子３２及び各センサーマーク６５が設けられている。
【００４５】
次に、このように構成されたテープ印字装置１の印字済みラベル用テープを作成する制御処理について図１５乃至図３８に基づいて説明する。
図１５に示すように、先ず、ステップ（以下、Ｓと略記する）１において、テープ印字装置１のＣＰＵ８１は、起動時又はテープカセット２１の装着時にリード／ライトモジュール９３を介してテープカセット２１に備えられた無線タグ回路素子２５から該無線タグ回路素子２５のメモリ部１２５に記憶される「テープ幅」、「テープ種類」、「テープ長さ」、「ＩＣチップのピッチ長Ｌ」、「印字範囲」、「センサーマーク＝ＩＣチップセンタ位置ｌ３」、「印字色」の各データを読み込み、ＲＡＭ８５に記憶する。
そして、Ｓ２において、ＣＰＵ８１は、印字データ入力処理のサブ処理を実行する。
続いて、Ｓ３において、ＣＰＵ８１は、印字処理のサブ処理を実行後、当該処理を終了する。
【００４６】
次に、印字データ入力処理のサブ処理について図１６乃至図２２に基づいて説明する。
図１６に示すように、Ｓ１１において、ＣＰＵ８１は、テープカセット２１にタイプ３の被印字テープ５３３が収納されているか否かを判定する判定処理を実行する。具体的には、ＣＰＵ８１は、ＲＡＭ８５から「印字範囲」のデータを読み出し、該「印字範囲」が２個の印字範囲のデータから構成されている場合には、テープカセット２１にタイプ３の被印字テープ５３３が収納されていると判定する。一方、ＣＰＵ８１は、この読み出した「印字範囲」が１個の印字範囲のデータから構成されている場合には、テープカセット２１にタイプ１又はタイプ２の被印字テープ５３１又は被印字テープ５３２が収納されていると判定する。
そして、テープカセット２１にタイプ３の被印字テープ５３３が収納されていないと判定した場合には（Ｓ１１：ＮＯ）、Ｓ１２において、ＣＰＵ８１は、「ＩＣチップのピッチ長Ｌ」と「印字範囲」のデータをＲＡＭ８５から読み出し、液晶ディスプレイ７に、被印字テープ５３上の無線タグ回路素子３２を含まない印字領域を表す仮想テープを作成して表示する。即ち、印字テープ５３上の無線タグ回路素子３２を含む部分は非印字領域となる。
【００４７】
例えば、図１７に示すように、ＣＰＵ８１は、テープカセット２１にタイプ１の被印字テープ５３１が収納されていると判定した場合には（例えば、ＲＡＭ８５から「印字範囲」のデータを読み出し、該「印字範囲」の右端側データが「ＩＣチップのピッチ長Ｌ」データよりも所定幅（例えば、約１０ｍｍ）以下の場合に、テープカセット２１にタイプ１の被印字テープ５３１が収納されていると判定する。）、「ＩＣチップのピッチ長Ｌ」のデータ値からアンテナ３３からサーマルヘッド９までの長さ（ｌ１＋ｌ２）を減算した長さの仮想テープ２０１を表示する。また、仮想テープ２０１の右側に「テープ幅」を表示する。また、その下側に仮想テープ２０１のテープ長さを表示する。また、その下側に「テープ種類」を表示する。そして、ＣＰＵ８１は、「印字範囲」のデータ値から仮想テープ２０１上に印字領域２０２を表示し、その右側部分は非印字領域となる。
また、図１８に示すように、ＣＰＵ８１は、テープカセット２１にタイプ２の被印字テープ５３２が収納されていると判定した場合には（例えば、ＲＡＭ８５から「印字範囲」のデータを読み出し、該「印字範囲」の右端側データが「ＩＣチップのピッチ長Ｌ」データとほぼ同じ場合に、テープカセット２１にタイプ２の被印字テープ５３２が収納されていると判定する。）、「ＩＣチップのピッチ長Ｌ」のデータ値からアンテナ３３からサーマルヘッド９までの長さ（ｌ１＋ｌ２）を減算した長さの仮想テープ２０４を表示する。また、仮想テープ２０４の右側に「テープ幅」を表示する。また、その下側に仮想テープ２０４のテープ長さを表示する。また、その下側に「テープ種類」を表示する。そして、ＣＰＵ８１は、「印字範囲」のデータ値から仮想テープ２０４上に印字領域２０５を表示し、その左側部分は非印字領域となる。
【００４８】
続いて、Ｓ１３において、ＣＰＵ８１は、印字領域への印字データの入力を要求する。例えば、各印字領域２０２、２０５にカーソルマークを点滅表示する。
そしてまた、Ｓ１４において、ＣＰＵ８１は、キーボード６を介して入力された印字データを印字領域に表示すると共に、印字データが全て入力されてリターンキー４が押下されるのを待つ（Ｓ１４：ＮＯ）。例えば、図２０に示すように、印字領域２０２に印字データ「ＡＢＣＤＥ」を表示し、リターンキー４が押下されるのを待つ。また、図２１に示すように、印字領域２０５に印字データ「ＡＢＣＤＥ」を表示し、リターンキー４が押下されるのを待つ。
【００４９】
一方、テープカセット２１にタイプ３の被印字テープ５３３が収納されていると判定した場合には（Ｓ１１：ＹＥＳ）、Ｓ１５において、ＣＰＵ８１は、「ＩＣチップのピッチ長Ｌ」と「印字範囲」のデータをＲＡＭ８５から読み出し、液晶ディスプレイ７に、被印字テープ５３上の無線タグ回路素子３２を挟んで両側に第１印字領域及び第２印字領域を表す仮想テープを作成して表示する。即ち、印字テープ５３上の無線タグ回路素子３２を含む部分は非印字領域となる。
例えば、図１９に示すように、ＣＰＵ８１は、テープカセット２１にタイプ３の被印字テープ５３３が収納されていると判定した場合には、「ＩＣチップのピッチ長Ｌ」のデータ値からアンテナ３３からサーマルヘッド９までの長さ（ｌ１＋ｌ２）を減算した長さの仮想テープ２０７を表示する。また、仮想テープ２０１の右側に「テープ幅」を表示する。また、その下側に仮想テープ２０１のテープ長さを表示する。また、その下側に「テープ種類」を表示する。そして、ＣＰＵ８１は、「印字範囲」のデータ値から仮想テープ２０７上に中央部分の非印字領域を挟んで第１印字領域２０８、第２印字領域２０９を表示する。
【００５０】
続いて、Ｓ１６において、ＣＰＵ８１は、第１印字領域への印字データの入力を要求する。例えば、第１印字領域２０８にカーソルマークを点滅表示する。
そしてまた、Ｓ１７において、ＣＰＵ８１は、キーボード６を介して入力された印字データを第１印字領域に表示すると共に、印字データが全て入力されてリターンキー４が押下されるのを待つ（Ｓ１７：ＮＯ）。
そして、リターンキー４が押下された場合には（Ｓ１７：ＹＥＳ）、Ｓ１８において、ＣＰＵ８１は、第２印字領域への印字データの入力を要求する。例えば、第２印字領域２０９にカーソルマークを点滅表示する。
そしてまた、Ｓ１９において、ＣＰＵ８１は、キーボード６を介して入力された印字データを第２印字領域に表示すると共に、印字データが全て入力されてリターンキー４が押下されるのを待つ（Ｓ１９：ＮＯ）。
例えば、図２２に示すように、第１印字領域２０８に印字データ「ＡＢＣ」を表示し、また、第２印字領域２０９に印字データ「ＤＥＦ」を表示し、リターンキー４が押下されるのを待つ。
【００５１】
そして、印字データ入力後リーターンキー４が押下された場合には（Ｓ１４：ＹＥＳ、Ｓ１９：ＹＥＳ）、Ｓ２０において、ＣＰＵ８１は、この印字データを編集入力領域８５Ｂにラベル用テープの印字データとして記憶する。
続いて、Ｓ２１において、ＣＰＵ８１は、無線タグ回路素子３２に書き込む書込データの入力を要求する旨を液晶ディスプレイ７に表示する。この書込データとしては、キーボード６を介して直接ユーザが入力する商品の価格、賞味期限、製造年月日、製造工場名等のデータや、通信用インタフェース８７を介して外部のコンピュータ装置から入力されてＲＡＭ８５に予め記憶する製品情報に関するファイルデータなどがある。
【００５２】
そして、Ｓ２２において、ＣＰＵ８１は、無線タグ回路素子３２に書き込む書込データの入力を待つ（Ｓ２２：ＮＯ）。また、キーボード６を介して商品の価格等のデータや、製品情報に関するファイル名などが入力された場合には（Ｓ２２：ＹＥＳ）、Ｓ２３において、ＣＰＵ８１は、このキーボード６を介して入力された商品の価格等のデータや、製品情報に関するファイルデータを無線タグ回路素子３２のメモリ部１２５に記憶させる書込データとしてＲＡＭ８５に記憶する。
その後、Ｓ２４において、ＣＰＵ８１は、印字キー３が押下されるのを待つ（Ｓ２４：ＮＯ）。そして、印字キー３が押下された場合には（Ｓ２４：ＹＥＳ）、ＣＰＵ８１は、当該サブ処理を終了して、メインフローチャートに戻る。
【００５３】
次に、「印字処理」のサブ処理について図２３に基づいて説明する。
図２３に示すように、Ｓ３１において、ＣＰＵ８１は、テープカセット２１にタイプ１の被印字テープ５３１が収納されているか否かを判定する判定処理を実行する。具体的には、ＣＰＵ８１は、ＲＡＭ８５から「印字範囲」のデータを読み出し、該「印字範囲」が１個の印字範囲のデータから構成され、且つ、該「印字範囲」の右端側データが「ＩＣチップのピッチ長Ｌ」データよりも所定幅以下の場合に、テープカセット２１にタイプ１の被印字テープ５３１が収納されていると判定する。尚、この所定幅とは、「印字範囲」の右端側に無線タグ回路素子３２がある場合で、例えば、１０ｍｍ以上２０ｍｍ以下が該当する。ここで、例えば、２０ｍｍ以下としたのは、無線タグ回路素子３２の横幅を除いた残りの部分が、印字に必要な最小長さ以下の場合を想定している。
そして、テープカセット２１にタイプ１の被印字テープ５３１が収納されていると判定した場合には（Ｓ３１：ＹＥＳ）、Ｓ３２において、ＣＰＵ８１は、「印字処理１」のサブ処理を実行後、当該サブ処理を終了してメインフローチャートに戻る。
【００５４】
一方、テープカセット２１にタイプ１の被印字テープ５３１が収納されていないと判定した場合には（Ｓ３１：ＮＯ）、Ｓ３３において、ＣＰＵ８１は、テープカセット２１にタイプ２の被印字テープ５３２が収納されているか否かを判定する判定処理を実行する。具体的には、ＣＰＵ８１は、ＲＡＭ８５から「印字範囲」のデータを読み出し、該「印字範囲」が１個の印字範囲のデータから構成され、且つ、該「印字範囲」の右端側データが「ＩＣチップのピッチ長Ｌ」データとほぼ同じ場合に、テープカセット２１にタイプ２の被印字テープ５３２が収納されていると判定する。
そして、テープカセット２１にタイプ２の被印字テープ５３２が収納されていると判定した場合には（Ｓ３３：ＹＥＳ）、Ｓ３４において、ＣＰＵ８１は、「印字処理２」のサブ処理を実行後、当該サブ処理を終了してメインフローチャートに戻る。
他方、テープカセット２１にタイプ２の被印字テープ５３２が収納されていないと判定した場合、即ち、テープカセット２１に「印字範囲」が２個の印字範囲のデータから構成されたタイプ３の被印字テープ５３３が収納されていると判定した場合には（Ｓ３３：ＮＯ）、Ｓ３５において、ＣＰＵ８１は、「印字処理３」のサブ処理を実行後、当該サブ処理を終了してメインフローチャートに戻る。
【００５５】
次に、「印字処理１」のサブ処理について図２４及び図２５に基づいて説明する。
図２４に示すように、Ｓ４１において、ＣＰＵ８１は、先ず、テープ送りモータ９２を駆動してテープ送りローラ６３を回転させ、該テープ送りローラ６３とテープサブローラ１１とによって印字済みラベル用テープ２８の搬送を開始する。
そして、Ｓ４２において、反射型センサ３５を介して印字済みラベル用テープ２８の背面部に印刷されるセンサーマーク６５を検出したか否かを判定する判定処理を実行する。そして、反射型センサ３５を介してセンサーマーク６５を検出しない場合は（Ｓ４２：ＮＯ）、ＣＰＵ８１は、再度Ｓ４１以降の処理を実行する。一方、反射型センサ３５を介してセンサーマーク６５の搬送方向先端部分を検出した場合は（Ｓ４２：ＹＥＳ）、Ｓ４３において、ＣＰＵ８１は、テープ送りモータ９２を続けて駆動して被印字テープ５３１を搬送しながらサーマルヘッド９を介して印字データの印字を開始する。
【００５６】
例えば、図２５（Ｂ）〜（Ｃ）に示すように、印字キー３が押下された場合に、カッターユニット３０にセンサーマーク６５の搬送方向先端部分が対向していたときは、テープ送りモータ９２を駆動してテープ送りローラ６３を回転させ、該テープ送りローラ６３とテープサブローラ１１とによって印字済みラベル用テープ２８の搬送を開始する。そして、印字済みラベル用テープ２８の搬送量がアンテナ３３及び反射型センサ３５とカッターユニット３０との搬送方向距離ｌ１に達した場合には、反射型センサ３５によってセンサーマーク６５の搬送方向先端部分が検出され、サーマルヘッド９を介して印字データの印字が開始される。
【００５７】
続いて、Ｓ４４において、ＣＰＵ８１は、ＲＯＭ８３からカッターユニット３０とサーマルヘッド９との搬送方向距離ｌ２を読み出し、反射型センサ３５を介してセンサーマーク６５の搬送方向先端部分を検出してからのテープ搬送量が搬送方向距離ｌ２に達したか否かを判定する判定処理を実行する。そして、センサーマーク６５の搬送方向先端部分を検出してからのテープ搬送量が搬送方向距離ｌ２に達していない場合には（Ｓ４４：ＮＯ）、再度Ｓ４３以降の処理を実行する。
一方、センサーマーク６５の搬送方向先端部分を検出してからのテープ搬送量が搬送方向距離ｌ２に達した場合には（Ｓ４４：ＹＥＳ）、Ｓ４５において、ＣＰＵ８１は、テープ送りモータ９２を停止して印字済みラベル用テープ２８の搬送を停止すると共にサーマルヘッド９を停止後、切断用モータ９６を駆動して印字済みラベル用テープ２８の搬送方向先端側を切断する。即ち、印字領域２０２（図１７参照）の先端側端縁部が切断される。
これにより、アンテナ３３及び反射型センサ３５とサーマルヘッド９との搬送方向距離（ｌ１＋ｌ２）に相当する印字済みラベル用テープ２８の搬送方向先端部分の余白を自動的に切断することができ、ユーザが印字済みラベル用テープ２８作成後、この搬送方向先端部分の余白を切断する必要がなくなり、作業効率の向上を図ることができる。
【００５８】
例えば、図２５（Ｄ）に示すように、サーマルヘッド９を介して被印字テープ５３１に印字が開始されてから「ＡＢ」の文字が印字されると共に、該被印字テープ５３１の搬送量、即ち印字済みラベル用テープ２８の搬送量が、印字開始位置からカッターユニット３０とサーマルヘッド９との搬送方向距離ｌ２に達した場合、即ち印字領域２０２の先端側端縁部がカッターユニット３０と対向した場合には、テープ送りモータ９２が停止されると共にサーマルヘッド９が停止された後、切断用モータ９６が駆動されて印字済みラベル用テープ２８の搬送方向先端部分の余白が切断される。
【００５９】
また、Ｓ４６において、ＣＰＵ８１は、印字済みラベル用テープ２８の搬送方向先端側を切断後、再度テープ送りモータ９２の駆動を継続すると共に、サーマルヘッド９を介して印字を継続する。
続いて、Ｓ４７において、ＣＰＵ８１は、印字領域２０２（図１７参照）の印字が終了したか否かを判定する判定処理を実行する。そして、印字領域２０２の印字が終了していない場合には（Ｓ４７：ＮＯ）、ＣＰＵ８１は、再度Ｓ４６以降の処理を実行する。これにより、被印字テープ５３１の印字領域２０２に印字データが印字される。
一方、印字領域２０２の印字が終了した場合には（Ｓ４７：ＹＥＳ）、ＣＰＵ８１は、Ｓ４８の処理に移行する。Ｓ４８において、ＣＰＵ８１は、サーマルヘッド９の駆動を停止すると共に、テープ送りモータ９２の駆動を継続して印字済みラベル用テープ２８を搬送する。
【００６０】
そして、Ｓ４９において、ＣＰＵ８１は、ＲＡＭ８５からセンサーマーク６５と無線タグ回路素子３２との距離ｌ３を表す「センサーマークからＩＣチップセンタ位置ｌ３」のデータを読み出し、反射型センサ３５を介してセンサーマーク６５の搬送方向先端部分を検出してからのテープ搬送量が「センサーマークからＩＣチップセンタ位置ｌ３」である距離ｌ３に達したか否か、即ち、印字済みラベル用テープ２８の搬送方向先端部分の余白を切断してからのテープ搬送量が（ｌ３−（ｌ１＋ｌ２））に達したか否かを判定する判定処理を実行する。そして、反射型センサ３５を介してセンサーマーク６５の搬送方向先端部分を検出してからのテープ搬送量が「センサーマークからＩＣチップセンタ位置ｌ３」である距離ｌ３に達していない場合には（Ｓ４９：ＮＯ）、ＣＰＵ８１は、再度Ｓ４８以降の処理を実行する。
一方、反射型センサ３５を介してセンサーマーク６５の搬送方向先端部分を検出してからのテープ搬送量が「センサーマークからＩＣチップセンタ位置ｌ３」である距離ｌ３に達した場合には（Ｓ４９：ＹＥＳ）、Ｓ５０において、ＣＰＵ８１は、テープ送りモータ９２を停止して印字済みラベル用テープ２８の搬送を停止後、ＲＡＭ８５から書込データを読み出して、リード／ライトモジュール９３を介してこの書込データを無線タグ回路素子３２のメモリ部１２５に記憶させる。
【００６１】
その後、Ｓ５１において、ＣＰＵ８１は、切断用モータ９６を駆動して印字済みラベル用テープ２８の搬送方向後端側を切断後、当該サブ処理を終了して、メインフローチャートに戻る。これにより、被印字テープ５３１の無線タグ回路素子３２が配置される部分が除かれた印字領域２０２内に印字データが印字されると共に、無線タグ回路素子３２に商品価格等のデータが記憶されたラベル用テープ２８が１枚作成される。
【００６２】
例えば、図２５（Ｅ）に示すように、反射型センサ３５を介してセンサーマーク６５の搬送方向先端部分を検出してからのテープ搬送量が距離ｌ３（例えば、９５ｍｍである。）に達した場合には、ＣＰＵ８１は、テープ送りモータ９２を停止し、ＲＡＭ８５から書込データを読み出して、リード／ライトモジュール９３を介してこの書込データを無線タグ回路素子３２のメモリ部１２５に記憶させる。尚、この場合には、アンテナ３３と無線タグ回路素子３２とは空間部を介して対向している。その後、切断用モータ９６が駆動されて印字済みラベル用テープ２８の搬送方向後端側、即ち、センサーマーク６５の搬送方向先端縁部に沿って切断され、印字済みラベル用テープ２８がラベル排出口１６から排出される。
【００６３】
次に、「印字処理２」のサブ処理について図２６乃至図２８に基づいて説明する。
図２６及び図２７に示すように、Ｓ６１において、ＣＰＵ８１は、先ず、テープ送りモータ９２を駆動してテープ送りローラ６３を回転させ、該テープ送りローラ６３とテープサブローラ１１とによって印字済みラベル用テープ２８の搬送を開始する。
また、Ｓ６２において、反射型センサ３５を介して印字済みラベル用テープ２８の背面部に印刷されるセンサーマーク６５を検出したか否かを判定する判定処理を実行する。そして、反射型センサ３５を介してセンサーマーク６５を検出しない場合は（Ｓ６２：ＮＯ）、ＣＰＵ８１は、再度Ｓ６１以降の処理を実行する。
一方、反射型センサ３５を介してセンサーマーク６５の搬送方向先端部分を検出した場合は（Ｓ６２：ＹＥＳ）、Ｓ６３において、ＣＰＵ８１は、テープ送りモータ９２の駆動を継続して印字済みラベル用テープ２８を搬送する。
【００６４】
そして、Ｓ６４において、ＣＰＵ８１は、センサーマーク６５を検出してからの搬送量が、該センサーマーク６５から印字領域２０５（図１８参照）の先端側端縁部までの距離ｌ４（図２８（Ａ）参照）に到達したか否かを判定する判定処理を実行する。尚、この距離ｌ４は、上記の通り、テープカセット２１に備えられた無線タグ回路素子２５のメモリ部１２５に格納される「印字範囲」のデータの先端側の長さデータである。
【００６５】
例えば、図２８（Ｂ）〜（Ｃ）に示すように、印字キー３が押下された場合に、カッターユニット３０にセンサーマーク６５の搬送方向先端部分が対向していたときは、テープ送りモータ９２を駆動してテープ送りローラ６３を回転させ、該テープ送りローラ６３とテープサブローラ１１とによって印字済みラベル用テープ２８の搬送を開始する。そして、印字済みラベル用テープ２８の搬送量がアンテナ３３及び反射型センサ３５とカッターユニット３０との搬送方向距離ｌ１に達した場合には、反射型センサ３５によってセンサーマーク６５の搬送方向先端部分が検出される。
【００６６】
そして、センサーマーク６５を検出してからの搬送量が、該センサーマーク６５から印字領域２０５の先端側端縁部までの距離ｌ４に到達していない場合には（Ｓ６４：ＮＯ）、ＣＰＵ８１は、再度Ｓ６３以降の処理を実行する。
他方、センサーマーク６５を検出してからの搬送量が、該センサーマーク６５から印字領域２０５の先端側端縁部までの距離ｌ４に到達した場合には（Ｓ６４：ＹＥＳ）、Ｓ６５において、ＣＰＵ８１は、テープ送りモータ９２を続けて駆動して被印字テープ５３２を搬送しながらサーマルヘッド９を介して印字データの印字を開始する。
続いて、Ｓ６６において、ＣＰＵ８１は、ＲＯＭ８３からカッターユニット３０とサーマルヘッド９との搬送方向距離ｌ２を読み出し、反射型センサ３５を介してセンサーマーク６５の搬送方向先端部分を検出してからのテープ搬送量が搬送方向距離ｌ２に達したか否かを判定する判定処理を実行する。そして、センサーマーク６５の搬送方向先端部分を検出してからのテープ搬送量が搬送方向距離ｌ２に達していない場合には（Ｓ６６：ＮＯ）、再度Ｓ６５以降の処理を実行する。
【００６７】
一方、センサーマーク６５の搬送方向先端部分を検出してからのテープ搬送量が搬送方向距離ｌ２に達した場合には（Ｓ６６：ＹＥＳ）、Ｓ６７において、ＣＰＵ８１は、テープ送りモータ９２を停止して印字済みラベル用テープ２８の搬送を停止すると共にサーマルヘッド９を停止後、切断用モータ９６を駆動して印字済みラベル用テープ２８の搬送方向先端側を切断する。
これにより、アンテナ３３及び反射型センサ３５とサーマルヘッド９との搬送方向距離（ｌ１＋ｌ２）に相当する印字済みラベル用テープ２８の搬送方向先端部分の余白を自動的に切断することができ、ユーザが印字済みラベル用テープ２８作成後、この搬送方向先端部分の余白を切断する必要がなくなり、作業効率の向上を図ることができる。
【００６８】
例えば、図２８（Ｄ）に示すように、サーマルヘッド９を介して被印字テープ５３２に印字が開始されてから「Ａ」の文字が印字されると共に、該被印字テープ５３２の搬送量、即ち印字済みラベル用テープ２８の搬送量が、センサーマーク６５の検出位置からカッターユニット３０とサーマルヘッド９との搬送方向距離ｌ２に達した場合には、テープ送りモータ９２が停止されると共にサーマルヘッド９が停止された後、切断用モータ９６が駆動されて印字済みラベル用テープ２８の搬送方向先端部分の余白が切断される。また、印字済みラベル用テープ２８に無線タグ回路素子３２を残すことができる。
【００６９】
そして、Ｓ６８において、ＣＰＵ８１は、印字済みラベル用テープ２８の搬送方向先端側を切断後、再度テープ送りモータ９２の駆動を継続すると共に、サーマルヘッド９を介して印字データの印字を継続する。
また、Ｓ６９において、ＣＰＵ８１は、ＲＡＭ８５からセンサーマーク６５と無線タグ回路素子３２との距離ｌ３を表す「センサーマークからＩＣチップセンタ位置ｌ３」のデータを読み出し、反射型センサ３５を介してセンサーマーク６５の搬送方向先端部分を検出してからのテープ搬送量が「センサーマークからＩＣチップセンタ位置ｌ３」である距離ｌ３に達したか否かを判定する判定処理を実行する。そして、センサーマーク６５の搬送方向先端部分を検出してからのテープ搬送量が距離ｌ３に達していない場合には（Ｓ６９：ＮＯ）、再度Ｓ６８以降の処理を実行する。
【００７０】
一方、センサーマーク６５の搬送方向先端部分を検出してからのテープ搬送量が距離ｌ３に達した場合には（Ｓ６９：ＹＥＳ）、Ｓ７０において、ＣＰＵ８１は、テープ送りモータ９２を停止して印字済みラベル用テープ２８の搬送を停止すると共にサーマルヘッド９の駆動を停止後、ＲＡＭ８５から書込データを読み出して、リード／ライトモジュール９３を介してこの書込データを無線タグ回路素子３２のメモリ部１２５に記憶させる。
【００７１】
例えば、図２８（Ｅ）に示すように、反射型センサ３５を介してセンサーマーク６５の搬送方向先端部分を検出してからのテープ搬送量が距離ｌ３（例えば、３０ｍｍである。）に達した場合には、ＣＰＵ８１は、テープ送りモータ９２を停止すると共にサーマルヘッド９の駆動を停止し、ＲＡＭ８５から書込データを読み出して、リード／ライトモジュール９３を介してこの書込データを無線タグ回路素子３２のメモリ部１２５に記憶させる。尚、この場合には、アンテナ３３と無線タグ回路素子３２とは空間部を介して対向している。
【００７２】
続いて、Ｓ７１において、ＣＰＵ８１は、再度、テープ送りモータ９２の駆動を開始すると共に、サーマルヘッド９を介して印字データの印字を継続する。
また、Ｓ７２において、ＣＰＵ８１は、ＲＯＭ８３からアンテナ３３及び反射型センサ３５とカッターユニット３０との搬送方向距離ｌ１と、カッターユニット３０とサーマルヘッド９との搬送方向距離ｌ２とを読み出し、また、ＲＡＭ８５から「ＩＣチップのピッチ長Ｌ」のデータ値Ｌを読み出し、印字済みラベル用テープ２８の搬送方向先端部分の余白を切断してからのテープ搬送量が（Ｌ−（ｌ１＋ｌ２））に達したか否かを判定する判定処理を実行する。そして、印字済みラベル用テープ２８の搬送方向先端部分の余白を切断してからのテープ搬送量が（Ｌ−（ｌ１＋ｌ２））に達していない場合には（Ｓ７２：ＮＯ）、ＣＰＵ８１は、再度Ｓ７１以降の処理を実行する。
【００７３】
一方、印字済みラベル用テープ２８の搬送方向先端部分の余白を切断してからのテープ搬送量が（Ｌ−（ｌ１＋ｌ２））に達した場合には（Ｓ７２：ＹＥＳ）、Ｓ７３において、ＣＰＵ８１は、テープ送りモータ９２を停止して印字済みラベル用テープ２８の搬送を停止すると共にサーマルヘッド９の駆動を停止後、切断用モータ９６を駆動して印字済みラベル用テープ２８の搬送方向後端側、即ち印字領域２０５の後端側を切断後、当該サブ処理を終了して、メインフローチャートに戻る。これにより、被印字テープ５３２の無線タグ回路素子３２が配置される部分が除かれた印字領域２０５内に印字データが印字されると共に、無線タグ回路素子３２に商品価格等のデータが記憶された印字済みラベル用テープ２８が１枚作成される。
【００７４】
例えば、図２８（Ｆ）に示すように、印字済みラベル用テープ２８の搬送方向先端部分の余白を切断してからのテープ搬送量が（Ｌ−（ｌ１＋ｌ２））に達した場合には、ＣＰＵ８１は、テープ送りモータ９２を停止すると共にサーマルヘッド９の駆動を停止する。その後、切断用モータ９６が駆動されて印字済みラベル用テープ２８の搬送方向後端側、即ち、センサーマーク６５の搬送方向先端縁部に沿って切断され、印字済みラベル用テープ２８がラベル排出口１６から排出される。
【００７５】
次に、「印字処理３」のサブ処理について図２９乃至図３８に基づいて説明する。
図２９に示すように、Ｓ８１において、ＣＰＵ８１は、第１印字領域２０８のテープ搬送方向長さｌ６がカッターユニット３０とサーマルヘッド９との搬送方向距離ｌ２よりも小さいか否かを判定する判定処理を実行する。具体的には、ＣＰＵ８１は、ＲＡＭ８５から「印字範囲」のデータを読み出し、１番目（左側）の印字範囲の長さ（図８及び図１４参照）を第１印字領域２０８のテープ搬送方向長さｌ６とすると共に、ＲＯＭ８３からカッターユニット３０とサーマルヘッド９との搬送方向距離ｌ２を読み出し、第１印字領域２０８のテープ搬送方向長さｌ６が搬送方向距離ｌ２よりも小さいか否かを判定する。
そして、第１印字領域２０８のテープ搬送方向長さｌ６が搬送方向距離ｌ２よりも小さいと判定した場合には（Ｓ８１：ＹＥＳ）、Ｓ８２において、ＣＰＵ８１は、「印字処理３１」のサブ処理を実行後、当該サブ処理を終了して「印字処理」のサブ処理に戻る。
【００７６】
一方、第１印字領域２０８のテープ搬送方向長さｌ６が搬送方向距離ｌ２以上であると判定した場合には（Ｓ８１：ＮＯ）、ＣＰＵ８１は、Ｓ８３の処理に移行する。Ｓ８３において、ＣＰＵ８１は、第２印字領域２０９のテープ搬送方向長さｌ７が搬送方向距離ｌ２よりも小さいか否かを判定する判定処理を実行する。具体的には、ＣＰＵ８１は、ＲＡＭ８５から「印字範囲」のデータを読み出し、２番目（右側）の印字範囲の長さ（図８及び図１４参照）を第２印字領域２０９のテープ搬送方向長さｌ７とすると共に、ＲＯＭ８３からカッターユニット３０とサーマルヘッド９との搬送方向距離ｌ２を読み出し、第２印字領域２０９のテープ搬送方向長さｌ７が搬送方向距離ｌ２よりも小さいか否かを判定する。
そして、第２印字領域２０９のテープ搬送方向長さｌ７が搬送方向距離ｌ２よりも小さいと判定した場合には（Ｓ８３：ＹＥＳ）、Ｓ８４において、ＣＰＵ８１は、「印字処理３２」のサブ処理を実行後、当該サブ処理を終了して「印字処理」のサブ処理に戻る。
他方、第２印字領域２０９のテープ搬送方向長さｌ７が搬送方向距離ｌ２以上であると判定した場合には（Ｓ８３：ＮＯ）、Ｓ８５において、ＣＰＵ８１は、「印字処理３３」のサブ処理を実行後、当該サブ処理を終了して「印字処理」のサブ処理に戻る。
【００７７】
次に、「印字処理３１」のサブ処理について図３０乃至図３２に基づいて説明する。
図３０及び図３１に示すように、Ｓ１０１において、ＣＰＵ８１は、先ず、テープ送りモータ９２を駆動してテープ送りローラ６３を回転させ、該テープ送りローラ６３とテープサブローラ１１とによって印字済みラベル用テープ２８の搬送を開始する。
そして、Ｓ１０２において、反射型センサ３５を介して印字済みラベル用テープ２８の背面部に印刷されるセンサーマーク６５を検出したか否かを判定する判定処理を実行する。そして、反射型センサ３５を介してセンサーマーク６５を検出しない場合は（Ｓ１０２：ＮＯ）、ＣＰＵ８１は、再度Ｓ１０１以降の処理を実行する。
一方、反射型センサ３５を介してセンサーマーク６５の搬送方向先端部分を検出した場合は（Ｓ１０２：ＹＥＳ）、Ｓ１０３において、ＣＰＵ８１は、テープ送りモータ９２を続けて駆動して被印字テープ５３３を搬送しながらサーマルヘッド９を介して第１印字領域２０８（図１９参照）の印字データの印字を開始する。
【００７８】
例えば、図３２（Ｂ）〜（Ｃ）に示すように、印字キー３が押下された場合に、カッターユニット３０にセンサーマーク６５の搬送方向先端部分が対向していたときは、テープ送りモータ９２を駆動してテープ送りローラ６３を回転させ、該テープ送りローラ６３とテープサブローラ１１とによって印字済みラベル用テープ２８の搬送を開始する。そして、印字済みラベル用テープ２８の搬送量がアンテナ３３及び反射型センサ３５とカッターユニット３０との搬送方向距離ｌ１に達した場合には、反射型センサ３５によってセンサーマーク６５の搬送方向先端部分が検出され、サーマルヘッド９を介して第１印字領域２０８（図１９参照）の印字データの印字が開始される。
【００７９】
また、Ｓ１０４において、ＣＰＵ８１は、第１印字領域２０８（図１９参照）の印字が終了したか否かを判定する判定処理を実行する。そして、第１印字領域２０８の印字が終了していない場合には（Ｓ１０４：ＮＯ）、ＣＰＵ８１は、再度Ｓ１０３以降の処理を実行する。これにより、被印字テープ５３３の第１印字領域２０８に印字データが印字される。
一方、第１印字領域２０８の印字が終了した場合には（Ｓ１０４：ＹＥＳ）、ＣＰＵ８１は、Ｓ１０５の処理に移行する。Ｓ１０５において、ＣＰＵ８１は、サーマルヘッド９の駆動を停止すると共に、テープ送りモータ９２の駆動を継続して印字済みラベル用テープ２８を搬送する。
【００８０】
続いて、Ｓ１０６において、ＣＰＵ８１は、ＲＯＭ８３からカッターユニット３０とサーマルヘッド９との搬送方向距離ｌ２を読み出し、反射型センサ３５を介してセンサーマーク６５の搬送方向先端部分を検出してからのテープ搬送量が搬送方向距離ｌ２に達したか否かを判定する判定処理を実行する。そして、センサーマーク６５の搬送方向先端部分を検出してからのテープ搬送量が搬送方向距離ｌ２に達していない場合には（Ｓ１０６：ＮＯ）、再度Ｓ１０５以降の処理を実行する。
一方、センサーマーク６５の搬送方向先端部分を検出してからのテープ搬送量が搬送方向距離ｌ２に達した場合には（Ｓ１０６：ＹＥＳ）、Ｓ１０７において、ＣＰＵ８１は、テープ送りモータ９２を停止して印字済みラベル用テープ２８の搬送を停止すると共にサーマルヘッド９を停止後、切断用モータ９６を駆動して印字済みラベル用テープ２８の搬送方向先端側を切断する。即ち、第１印字領域２０８（図１９参照）の先端側端縁部が切断される。
これにより、アンテナ３３及び反射型センサ３５とサーマルヘッド９との搬送方向距離（ｌ１＋ｌ２）に相当する印字済みラベル用テープ２８の搬送方向先端部分の余白を自動的に切断することができ、ユーザが印字済みラベル用テープ２８作成後、この搬送方向先端部分の余白を切断する必要がなくなり、作業効率の向上を図ることができる。
【００８１】
例えば、図３２（Ｄ）に示すように、サーマルヘッド９を介して被印字テープ５３３に印字が開始されてから第１印字領域２０８の印字データ「Ａ」の文字が印字されると共に、該被印字テープ５３３の搬送量、即ち印字済みラベル用テープ２８の搬送量が、印字開始位置からカッターユニット３０とサーマルヘッド９との搬送方向距離ｌ２に達した場合、即ち第１印字領域２０８の先端側端縁部がカッターユニット３０と対向した場合には、テープ送りモータ９２が停止されると共にサーマルヘッド９が停止された後、切断用モータ９６が駆動されて印字済みラベル用テープ２８の搬送方向先端部分の余白が切断される。
【００８２】
そして、Ｓ１０８において、ＣＰＵ８１は、サーマルヘッド９を停止すると共に、テープ送りモータ９２の駆動を継続して印字済みラベル用テープ２８を搬送する。
また、Ｓ１０９において、ＣＰＵ８１は、サーマルヘッド９が第２印字領域２０９（図１９参照）の搬送方向先端側端縁部に到達したか否かを判定する判定処理を実行する。この判定は、ＣＰＵ８１は、先ずＲＡＭ８５から「印字範囲」のデータを読み出し、第２印字領域２０９の印字範囲のデータから先端側の長さデータを求め、センサーマーク６５を検出してからの印字済みラベル用テープ２８の搬送量がこの長さデータに達したか否かを判定する。そして、サーマルヘッド９が第２印字領域２０９の搬送方向先端側端縁部に到達していない場合には（Ｓ１０９：ＮＯ）、ＣＰＵ８１は、再度Ｓ１０８以降の処理を実行する。
【００８３】
一方、サーマルヘッド９が第２印字領域２０９の搬送方向先端側端縁部に到達した場合には（Ｓ１０９：ＹＥＳ）、Ｓ１１０において、ＣＰＵ８１は、テープ送りモータ９２を続けて駆動して被印字テープ５３３を搬送しながらサーマルヘッド９を介して第２印字領域２０９の印字データの印字を開始する。
そして、Ｓ１１１において、ＣＰＵ８１は、テープ送りモータ９２を続けて駆動して、サーマルヘッド９を介して第２印字領域２０９の印字データの印字を継続する。
また、Ｓ１１２において、ＣＰＵ８１は、ＲＡＭ８５からセンサーマーク６５と無線タグ回路素子３２との距離ｌ３を表す「センサーマークからＩＣチップセンタ位置ｌ３」のデータを読み出し、反射型センサ３５を介してセンサーマーク６５の搬送方向先端部分を検出してからのテープ搬送量が「センサーマークからＩＣチップセンタ位置ｌ３」である距離ｌ３に達したか否かを判定する判定処理を実行する。そして、センサーマーク６５の搬送方向先端部分を検出してからのテープ搬送量が距離ｌ３に達していない場合には（Ｓ１１２：ＮＯ）、再度Ｓ１１１以降の処理を実行する。
【００８４】
一方、センサーマーク６５の搬送方向先端部分を検出してからのテープ搬送量が距離ｌ３に達した場合には（Ｓ１１２：ＹＥＳ）、Ｓ１１３において、ＣＰＵ８１は、テープ送りモータ９２を停止して印字済みラベル用テープ２８の搬送を停止すると共にサーマルヘッド９の駆動を停止後、ＲＡＭ８５から書込データを読み出して、リード／ライトモジュール９３を介してこの書込データを無線タグ回路素子３２のメモリ部１２５に記憶させる。
【００８５】
例えば、図３２（Ｅ）に示すように、反射型センサ３５を介してセンサーマーク６５の搬送方向先端部分を検出してからのテープ搬送量が距離ｌ３（例えば、４０．５ｍｍである。）に達した場合には、ＣＰＵ８１は、テープ送りモータ９２を停止して印字済みラベル用テープ２８の搬送を停止すると共にサーマルヘッド９の駆動を停止し、ＲＡＭ８５から書込データを読み出して、リード／ライトモジュール９３を介してこの書込データを無線タグ回路素子３２のメモリ部１２５に記憶させる。尚、この場合には、アンテナ３３と無線タグ回路素子３２とは空間部を介して対向している。また、被印字テープ５３３の第１印字領域２０８の印字データ「Ａ」及び第２印字領域２０９の印字データ「ＢＣＤＥＦ」のうちの印字データ「ＢＣ」の各文字が印字されている。
【００８６】
続いて、Ｓ１１４において、ＣＰＵ８１は、再度、テープ送りモータ９２の駆動を開始すると共に、サーマルヘッド９を介して第２印字領域２０９の印字データの印字を継続する。
また、Ｓ１１５において、ＣＰＵ８１は、第２印字領域２０９の印字が終了したか否かを判定する判定処理を実行する。そして、第２印字領域２０９の印字が終了していない場合には（Ｓ１１５：ＮＯ）、ＣＰＵ８１は、再度Ｓ１１４以降の処理を実行する。これにより、被印字テープ５３３の第２印字領域２０９に継続して印字データが印字される。
【００８７】
一方、第２印字領域２０９の印字が終了した場合には（Ｓ１１５：ＹＥＳ）、ＣＰＵ８１は、Ｓ１１６の処理に移行する。Ｓ１１６において、ＣＰＵ８１は、サーマルヘッド９の駆動を停止すると共に、テープ送りモータ９２の駆動を継続して印字済みラベル用テープ２８を搬送する。
また、Ｓ１１７において、ＣＰＵ８１は、ＲＯＭ８３からアンテナ３３及び反射型センサ３５とカッターユニット３０との搬送方向距離ｌ１と、カッターユニット３０とサーマルヘッド９との搬送方向距離ｌ２とを読み出し、また、ＲＡＭ８５から「ＩＣチップのピッチ長Ｌ」のデータ値Ｌを読み出し、印字済みラベル用テープ２８の搬送方向先端部分の余白を切断してからのテープ搬送量が（Ｌ−（ｌ１＋ｌ２））に達したか否かを判定する判定処理を実行する。そして、印字済みラベル用テープ２８の搬送方向先端部分の余白を切断してからのテープ搬送量が（Ｌ−（ｌ１＋ｌ２））に達していない場合には（Ｓ１１７：ＮＯ）、ＣＰＵ８１は、再度Ｓ１１６以降の処理を実行する。
【００８８】
一方、印字済みラベル用テープ２８の搬送方向先端部分の余白を切断してからのテープ搬送量が（Ｌ−（ｌ１＋ｌ２））に達した場合には（Ｓ１１７：ＹＥＳ）、Ｓ１１８において、ＣＰＵ８１は、テープ送りモータ９２を停止して印字済みラベル用テープ２８の搬送を停止すると共にサーマルヘッド９の駆動を停止した後、切断用モータ９６を駆動して印字済みラベル用テープ２８の搬送方向後端側、即ち、印字領域２０７（図１９参照）の後端側を切断後、当該サブ処理を終了して、印字処理３のサブ処理に戻る。これにより、ｌ６＜ｌ２の被印字テープ５３３の無線タグ回路素子３２が配置される部分が除かれた第１印字領域２０８及び第２印字領域２０９に印字データが印字されると共に、無線タグ回路素子３２に商品価格等のデータが記憶された印字済みラベル用テープ２８が１枚作成される。
【００８９】
例えば、図３２（Ｆ）に示すように、印字済みラベル用テープ２８の搬送方向先端部分の余白を切断してからのテープ搬送量が（Ｌ−（ｌ１＋ｌ２））に達した場合には、ＣＰＵ８１は、テープ送りモータ９２を停止する。その後、切断用モータ９６が駆動されて印字済みラベル用テープ２８の搬送方向後端側、即ち、センサーマーク６５の搬送方向先端縁部に沿って切断され、印字済みラベル用テープ２８がラベル排出口１６から排出される。
【００９０】
次に、「印字処理３２」のサブ処理について図３３乃至図３５に基づいて説明する。
図３３及び図３４に示すように、Ｓ１２１乃至Ｓ１２３において、ＣＰＵ８１は、上記Ｓ１０１乃至Ｓ１０３の処理を実行する。
例えば、図３５（Ｂ）〜（Ｃ）に示すように、印字キー３が押下された場合に、カッターユニット３０にセンサーマーク６５の搬送方向先端部分が対向していたときは、テープ送りモータ９２を駆動してテープ送りローラ６３を回転させ、該テープ送りローラ６３とテープサブローラ１１とによって印字済みラベル用テープ２８の搬送を開始する。そして、印字済みラベル用テープ２８の搬送量がアンテナ３３及び反射型センサ３５とカッターユニット３０との搬送方向距離ｌ１に達した場合には、反射型センサ３５によってセンサーマーク６５の搬送方向先端部分が検出され、サーマルヘッド９を介して第１印字領域２０８（図１９参照）の印字データの印字が開始される。
【００９１】
そして、Ｓ１２４において、ＣＰＵ８１は、ＲＯＭ８３からカッターユニット３０とサーマルヘッド９との搬送方向距離ｌ２を読み出し、反射型センサ３５を介してセンサーマーク６５の搬送方向先端部分を検出してからのテープ搬送量が搬送方向距離ｌ２に達したか否かを判定する判定処理を実行する。そして、センサーマーク６５の搬送方向先端部分を検出してからのテープ搬送量が搬送方向距離ｌ２に達していない場合には（Ｓ１２４：ＮＯ）、再度Ｓ１２３以降の処理を実行する。
一方、センサーマーク６５の搬送方向先端部分を検出してからのテープ搬送量が搬送方向距離ｌ２に達した場合には（Ｓ１２４：ＹＥＳ）、Ｓ１２５において、ＣＰＵ８１は、テープ送りモータ９２を停止して印字済みラベル用テープ２８の搬送を停止すると共にサーマルヘッド９を停止後、切断用モータ９６を駆動して印字済みラベル用テープ２８の搬送方向先端側を切断する。即ち、第１印字領域２０８（図１９参照）の先端側端縁部が切断される。
これにより、アンテナ３３及び反射型センサ３５とサーマルヘッド９との搬送方向距離（ｌ１＋ｌ２）に相当する印字済みラベル用テープ２８の搬送方向先端部分の余白を自動的に切断することができ、ユーザが印字済みラベル用テープ２８作成後、この搬送方向先端部分の余白を切断する必要がなくなり、作業効率の向上を図ることができる。
【００９２】
例えば、図３５（Ｄ）に示すように、サーマルヘッド９を介して被印字テープ５３３に印字が開始されてから第１印字領域２０８の印字データ「ＡＢＣＤＥ」のうちの印字データ「ＡＢ」の文字が印字されると共に、該被印字テープ５３３の搬送量、即ち印字済みラベル用テープ２８の搬送量が、印字開始位置からカッターユニット３０とサーマルヘッド９との搬送方向距離ｌ２に達した場合、即ち第１印字領域２０８の先端側端縁部がカッターユニット３０と対向した場合には、テープ送りモータ９２が停止されると共にサーマルヘッド９が停止された後、切断用モータ９６が駆動されて印字済みラベル用テープ２８の搬送方向先端部分の余白が切断される。
【００９３】
続いて、Ｓ１２６において、ＣＰＵ８１は、再度、テープ送りモータ９２の駆動を開始すると共に、サーマルヘッド９を介して第１印字領域２０８の印字データの印字を継続する。
また、Ｓ１２７において、ＣＰＵ８１は、第１印字領域２０８の印字が終了したか否かを判定する判定処理を実行する。そして、第１印字領域２０８の印字が終了していない場合には（Ｓ１２７：ＮＯ）、ＣＰＵ８１は、再度Ｓ１２６以降の処理を実行する。これにより、被印字テープ５３３の第１印字領域２０８に継続して印字データが印字される。
【００９４】
一方、第１印字領域２０８の印字が終了した場合には（Ｓ１２７：ＹＥＳ）、ＣＰＵ８１は、Ｓ１２８の処理に移行する。Ｓ１２８において、ＣＰＵ８１は、サーマルヘッド９の駆動を停止すると共に、テープ送りモータ９２の駆動を継続して印字済みラベル用テープ２８を搬送する。
また、Ｓ１２９において、ＣＰＵ８１は、サーマルヘッド９が第２印字領域２０９（図１９参照）の搬送方向先端側端縁部に到達したか否かを判定する判定処理を実行する。この判定は、ＣＰＵ８１は、先ずＲＡＭ８５から「印字範囲」のデータを読み出し、第２印字領域２０９の印字範囲のデータから先端側の長さデータを求め、センサーマーク６５を検出してからの印字済みラベル用テープ２８の搬送量がこの長さデータに達したか否かを判定する。そして、サーマルヘッド９が第２印字領域２０９の搬送方向先端側端縁部に到達していない場合には（Ｓ１２９：ＮＯ）、ＣＰＵ８１は、再度Ｓ１２８以降の処理を実行する。
【００９５】
一方、サーマルヘッド９が第２印字領域２０９の搬送方向先端側端縁部に到達した場合には（Ｓ１２９：ＹＥＳ）、Ｓ１３０において、ＣＰＵ８１は、テープ送りモータ９２を続けて駆動して被印字テープ５３３を搬送しながらサーマルヘッド９を介して第２印字領域２０９の印字データの印字を開始する。
そして、Ｓ１３１において、ＣＰＵ８１は、テープ送りモータ９２を続けて駆動して、サーマルヘッド９を介して第２印字領域２０９の印字データの印字を継続する。
また、Ｓ１３２において、ＣＰＵ８１は、第２印字領域２０９の印字が終了したか否かを判定する判定処理を実行する。そして、第２印字領域２０９の印字が終了していない場合には（Ｓ１３２：ＮＯ）、ＣＰＵ８１は、再度Ｓ１３１以降の処理を実行する。これにより、被印字テープ５３３の第２印字領域２０９に継続して印字データが印字される。
【００９６】
一方、第２印字領域２０９の印字が終了した場合には（Ｓ１３２：ＹＥＳ）、ＣＰＵ８１は、Ｓ１３３の処理に移行する。Ｓ１３３において、ＣＰＵ８１は、サーマルヘッド９の駆動を停止すると共に、テープ送りモータ９２の駆動を継続して印字済みラベル用テープ２８を搬送する。
また、Ｓ１３４において、ＣＰＵ８１は、ＲＡＭ８５からセンサーマーク６５と無線タグ回路素子３２との距離ｌ３を表す「センサーマークからＩＣチップセンタ位置ｌ３」のデータを読み出し、反射型センサ３５を介してセンサーマーク６５の搬送方向先端部分を検出してからのテープ搬送量が「センサーマークからＩＣチップセンタ位置ｌ３」である距離ｌ３に達したか否かを判定する判定処理を実行する。そして、センサーマーク６５の搬送方向先端部分を検出してからのテープ搬送量が距離ｌ３に達していない場合には（Ｓ１３４：ＮＯ）、再度Ｓ１３３以降の処理を実行する。
【００９７】
一方、センサーマーク６５の搬送方向先端部分を検出してからのテープ搬送量が距離ｌ３に達した場合には（Ｓ１３４：ＹＥＳ）、Ｓ１３５において、ＣＰＵ８１は、テープ送りモータ９２を停止して印字済みラベル用テープ２８の搬送を停止すると共にサーマルヘッド９の駆動を停止後、ＲＡＭ８５から書込データを読み出して、リード／ライトモジュール９３を介してこの書込データを無線タグ回路素子３２のメモリ部１２５に記憶させる。
【００９８】
例えば、図３５（Ｅ）に示すように、反射型センサ３５を介してセンサーマーク６５の搬送方向先端部分を検出してからのテープ搬送量が距離ｌ３（例えば、７８ｍｍである。）に達した場合には、ＣＰＵ８１は、テープ送りモータ９２を停止して印字済みラベル用テープ２８の搬送を停止すると共にサーマルヘッド９の駆動を停止し、ＲＡＭ８５から書込データを読み出して、リード／ライトモジュール９３を介してこの書込データを無線タグ回路素子３２のメモリ部１２５に記憶させる。尚、この場合には、アンテナ３３と無線タグ回路素子３２とは空間部を介して対向している。また、被印字テープ５３３の第１印字領域２０８の印字データ「ＡＢＣＤＥ」及び第２印字領域２０９の印字データ「Ｆ」の各文字が印字されている。
【００９９】
続いて、Ｓ１３６乃至Ｓ１３８において、ＣＰＵ８１は、上記Ｓ１１６乃至Ｓ１１８の処理を実行後、当該サブ処理を終了して、印字処理３のサブ処理に戻る。これにより、ｌ７＜ｌ２の被印字テープ５３３の無線タグ回路素子３２が配置される部分が除かれた第１印字領域２０８及び第２印字領域２０９に印字データが印字されると共に、無線タグ回路素子３２に商品価格等のデータが記憶された印字済みラベル用テープ２８が１枚作成される。
【０１００】
例えば、図３５（Ｆ）に示すように、印字済みラベル用テープ２８の搬送方向先端部分の余白を切断してからのテープ搬送量が（Ｌ−（ｌ１＋ｌ２））に達した場合には、ＣＰＵ８１は、テープ送りモータ９２を停止する。その後、切断用モータ９６が駆動されて印字済みラベル用テープ２８の搬送方向後端側、即ち、センサーマーク６５の搬送方向先端縁部に沿って切断され、印字済みラベル用テープ２８がラベル排出口１６から排出される。
【０１０１】
次に、「印字処理３３」のサブ処理について図３６乃至図３８に基づいて説明する。
図３６及び図３７に示すように、Ｓ１４１乃至Ｓ１４３において、ＣＰＵ８１は、上記Ｓ１０１乃至Ｓ１０３の処理を実行する。
例えば、図３８（Ｂ）〜（Ｃ）に示すように、印字キー３が押下された場合に、カッターユニット３０にセンサーマーク６５の搬送方向先端部分が対向していたときは、テープ送りモータ９２を駆動してテープ送りローラ６３を回転させ、該テープ送りローラ６３とテープサブローラ１１とによって印字済みラベル用テープ２８の搬送を開始する。そして、印字済みラベル用テープ２８の搬送量がアンテナ３３及び反射型センサ３５とカッターユニット３０との搬送方向距離ｌ１に達した場合には、反射型センサ３５によってセンサーマーク６５の搬送方向先端部分が検出され、サーマルヘッド９を介して第１印字領域２０８（図１９参照）の印字データの印字が開始される。
【０１０２】
そして、Ｓ１４４において、ＣＰＵ８１は、ＲＯＭ８３からカッターユニット３０とサーマルヘッド９との搬送方向距離ｌ２を読み出し、反射型センサ３５を介してセンサーマーク６５の搬送方向先端部分を検出してからのテープ搬送量が搬送方向距離ｌ２に達したか否かを判定する判定処理を実行する。そして、センサーマーク６５の搬送方向先端部分を検出してからのテープ搬送量が搬送方向距離ｌ２に達していない場合には（Ｓ１４４：ＮＯ）、再度Ｓ１４３以降の処理を実行する。
一方、センサーマーク６５の搬送方向先端部分を検出してからのテープ搬送量が搬送方向距離ｌ２に達した場合には（Ｓ１４４：ＹＥＳ）、Ｓ１４５において、ＣＰＵ８１は、テープ送りモータ９２を停止して印字済みラベル用テープ２８の搬送を停止すると共にサーマルヘッド９を停止後、切断用モータ９６を駆動して印字済みラベル用テープ２８の搬送方向先端側を切断する。即ち、第１印字領域２０８（図１９参照）の先端側端縁部が切断される。
これにより、アンテナ３３及び反射型センサ３５とサーマルヘッド９との搬送方向距離（ｌ１＋ｌ２）に相当する印字済みラベル用テープ２８の搬送方向先端部分の余白を自動的に切断することができ、ユーザが印字済みラベル用テープ２８作成後、この搬送方向先端部分の余白を切断する必要がなくなり、作業効率の向上を図ることができる。
【０１０３】
例えば、図３８（Ｄ）に示すように、サーマルヘッド９を介して被印字テープ５３３に印字が開始されてから第１印字領域２０８の印字データ「ＡＢＣ」のうちの印字データ「ＡＢ」の文字が印字されると共に、該被印字テープ５３３の搬送量、即ち印字済みラベル用テープ２８の搬送量が、印字開始位置からカッターユニット３０とサーマルヘッド９との搬送方向距離ｌ２に達した場合、即ち第１印字領域２０８の先端側端縁部がカッターユニット３０と対向した場合には、テープ送りモータ９２が停止されると共にサーマルヘッド９が停止された後、切断用モータ９６が駆動されて印字済みラベル用テープ２８の搬送方向先端部分の余白が切断される。
【０１０４】
続いて、Ｓ１４６において、ＣＰＵ８１は、再度、テープ送りモータ９２の駆動を開始すると共に、サーマルヘッド９を介して第１印字領域２０８の印字データの印字を継続する。
また、Ｓ１４７において、ＣＰＵ８１は、第１印字領域２０８の印字が終了したか否かを判定する判定処理を実行する。そして、第１印字領域２０８の印字が終了していない場合には（Ｓ１４７：ＮＯ）、ＣＰＵ８１は、再度Ｓ１４６以降の処理を実行する。これにより、被印字テープ５３３の第１印字領域２０８に継続して印字データが印字される。
【０１０５】
一方、第１印字領域２０８の印字が終了した場合には（Ｓ１４７：ＹＥＳ）、ＣＰＵ８１は、Ｓ１４８の処理に移行する。Ｓ１４８において、ＣＰＵ８１は、サーマルヘッド９の駆動を停止すると共に、テープ送りモータ９２の駆動を継続して印字済みラベル用テープ２８を搬送する。
また、Ｓ１４９において、ＣＰＵ８１は、サーマルヘッド９が第２印字領域２０９（図１９参照）の搬送方向先端側端縁部に到達したか否かを判定する判定処理を実行する。この判定は、ＣＰＵ８１は、先ずＲＡＭ８５から「印字範囲」のデータを読み出し、第２印字領域２０９の印字範囲のデータから先端側の長さデータを求め、センサーマーク６５を検出してからの印字済みラベル用テープ２８の搬送量がこの長さデータに達したか否かを判定する。そして、サーマルヘッド９が第２印字領域２０９の搬送方向先端側端縁部に到達していない場合には（Ｓ１４９：ＮＯ）、ＣＰＵ８１は、再度Ｓ１４８以降の処理を実行する。
【０１０６】
一方、サーマルヘッド９が第２印字領域２０９の搬送方向先端側端縁部に到達した場合には（Ｓ１４９：ＹＥＳ）、Ｓ１５０において、ＣＰＵ８１は、テープ送りモータ９２を続けて駆動して被印字テープ５３３を搬送しながらサーマルヘッド９を介して第２印字領域２０９の印字データの印字を開始する。
そして、Ｓ１５１において、ＣＰＵ８１は、テープ送りモータ９２を続けて駆動して、サーマルヘッド９を介して第２印字領域２０９の印字データの印字を継続する。
また、Ｓ１５２において、ＣＰＵ８１は、ＲＡＭ８５からセンサーマーク６５と無線タグ回路素子３２との距離ｌ３を表す「センサーマークからＩＣチップセンタ位置ｌ３」のデータを読み出し、反射型センサ３５を介してセンサーマーク６５の搬送方向先端部分を検出してからのテープ搬送量が「センサーマークからＩＣチップセンタ位置ｌ３」である距離ｌ３に達したか否かを判定する判定処理を実行する。そして、センサーマーク６５の搬送方向先端部分を検出してからのテープ搬送量が距離ｌ３に達していない場合には（Ｓ１５２：ＮＯ）、再度Ｓ１５１以降の処理を実行する。
【０１０７】
一方、センサーマーク６５の搬送方向先端部分を検出してからのテープ搬送量が距離ｌ３に達した場合には（Ｓ１５２：ＹＥＳ）、Ｓ１５３において、ＣＰＵ８１は、テープ送りモータ９２を停止して印字済みラベル用テープ２８の搬送を停止すると共にサーマルヘッド９の駆動を停止後、ＲＡＭ８５から書込データを読み出して、リード／ライトモジュール９３を介してこの書込データを無線タグ回路素子３２のメモリ部１２５に記憶させる。
【０１０８】
例えば、図３８（Ｅ）に示すように、反射型センサ３５を介してセンサーマーク６５の搬送方向先端部分を検出してからのテープ搬送量が距離ｌ３（例えば、６２．５ｍｍである。）に達した場合には、ＣＰＵ８１は、テープ送りモータ９２を停止して印字済みラベル用テープ２８の搬送を停止すると共にサーマルヘッド９の駆動を停止し、ＲＡＭ８５から書込データを読み出して、リード／ライトモジュール９３を介してこの書込データを無線タグ回路素子３２のメモリ部１２５に記憶させる。尚、この場合には、アンテナ３３と無線タグ回路素子３２とは空間部を介して対向している。また、被印字テープ５３３の第１印字領域２０８の印字データ「ＡＢＣ」及び第２印字領域２０９の印字データ「ＤＥＦ」のうちの印字データ「Ｄ」の各文字が印字されている。
【０１０９】
続いて、Ｓ１５４において、ＣＰＵ８１は、再度、テープ送りモータ９２の駆動を開始すると共に、サーマルヘッド９を介して第２印字領域２０９の印字データの印字を継続する。
また、Ｓ１５５において、ＣＰＵ８１は、ＲＯＭ８３からアンテナ３３及び反射型センサ３５とカッターユニット３０との搬送方向距離ｌ１と、カッターユニット３０とサーマルヘッド９との搬送方向距離ｌ２とを読み出し、また、ＲＡＭ８５から「ＩＣチップのピッチ長Ｌ」のデータ値Ｌを読み出し、印字済みラベル用テープ２８の搬送方向先端部分の余白を切断してからのテープ搬送量が（Ｌ−（ｌ１＋ｌ２））に達したか否かを判定する判定処理を実行する。そして、印字済みラベル用テープ２８の搬送方向先端部分の余白を切断してからのテープ搬送量が（Ｌ−（ｌ１＋ｌ２））に達していない場合には（Ｓ１５５：ＮＯ）、ＣＰＵ８１は、再度Ｓ１５４以降の処理を実行する。
【０１１０】
一方、印字済みラベル用テープ２８の搬送方向先端部分の余白を切断してからのテープ搬送量が（Ｌ−（ｌ１＋ｌ２））に達した場合には（Ｓ１５５：ＹＥＳ）、Ｓ１５６において、ＣＰＵ８１は、テープ送りモータ９２を停止して印字済みラベル用テープ２８の搬送を停止すると共にサーマルヘッド９の駆動を停止した後、切断用モータ９６を駆動して印字済みラベル用テープ２８の搬送方向後端側、即ち、印字領域２０７（図１９参照）の後端側を切断後、当該サブ処理を終了して、印字処理３のサブ処理に戻る。これにより、ｌ６≧ｌ２且つｌ７≧ｌ２の被印字テープ５３３の無線タグ回路素子３２が配置される部分が除かれた第１印字領域２０８及び第２印字領域２０９に印字データが印字されると共に、無線タグ回路素子３２に商品価格等のデータが記憶された印字済みラベル用テープ２８が１枚作成される。
【０１１１】
例えば、図３８（Ｆ）に示すように、印字済みラベル用テープ２８の搬送方向先端部分の余白を切断してからのテープ搬送量が（Ｌ−（ｌ１＋ｌ２））に達した場合には、ＣＰＵ８１は、テープ送りモータ９２を停止する。その後、切断用モータ９６が駆動されて印字済みラベル用テープ２８の搬送方向後端側、即ち、センサーマーク６５の搬送方向先端縁部に沿って切断され、印字済みラベル用テープ２８がラベル排出口１６から排出される。
【０１１２】
ここで、テープ送りモータ９２、テープ駆動ローラ軸１４、カム部７６、テープ送りローラ６３、テープサブローラ１１は、テープ搬送手段を構成する。また、サーマルヘッド９、プラテンローラ１０は、印字手段を構成する。また、無線タグ回路素子２５は、カセット情報特定手段として機能する。また、無線タグ回路素子３２は、無線情報回路素子として機能する。また、アンテナ６８は、ＩＣ回路側アンテナとして機能する。また、キーボード６は、入力手段として機能する。尚、コネクタ１８を介して外部のパーソナルコンピュータと接続して文字データ等を入力する場合は、このパーソナルコンピュータが入力手段として機能する。また、液晶ディスプレイ７は、表示手段として機能する。また、反射型センサ３５は、検出センサとして機能する。また、カッターユニット３０は、切断手段として機能する。また、アンテナ２６及びリード／ライトモジュール９３は、カセット情報読取手段として機能する。また、ＣＰＵ８１、ＲＯＭ８３、ＲＡＭ８５は、仮想テープ表示制御手段として機能する。また、アンテナ３３は、装置側アンテナとして機能する。また、リード／ライトモジュール９３は、読取書込手段として機能する。
【０１１３】
以上詳細に説明した通り、本実施例に係るテープ印字装置１は、ユーザは液晶ディスプレイ７に表示される各仮想テープ２０１、２０４、２０７の無線タグ回路素子３２が含まれていない各印字領域２０２、２０５、２０８、２０９を確認しながら印字データの入力が可能となるため、各被印字テープ５３１、５３２、５３３の無線タグ回路素子３２を含まない各印字領域２０２、２０５、２０８、２０９に印字可能な印字データを容易に入力することが可能となる。また、各被印字テープ５３１、５３２、５３３の無線タグ回路素子３２のある凸状部分に印刷することを防止でき、高品質の印字済みラベル用テープ２８を作成することが可能となる。また、各被印字テープ５３１、５３２、５３３のセンサーマーク６５を検出後、反射型センサ３５からサーマルヘッド９までの距離（ｌ１＋ｌ２）搬送して先端側余白部分を切断しても、印字済みラベル用テープ２８に各印字領域２０２、２０５、２０８、２０９を確実に残すことが可能となる。
また、テープ印字装置１では、各被印字テープ５３１、５３２、５３３のセンサーマーク６５を検出後、所定距離搬送することにより、アンテナ３３を介して無線タグ回路素子３２に所定の情報を書き込むことが可能となる。
【０１１４】
また、本実施例に係るテープカセット２１では、無線タグ回路素子２５介して各印字領域２０２、２０５、２０８、２０９の搬送方向先端縁部と該各印字領域２０２、２０５、２０８、２０９のテープ搬送方向上流側の直前に配置されるセンサマーク６５との相対距離を表す距離データと、該各印字領域２０２、２０５、２０８、２０９の搬送方向長さを表す長さデータを得ることが可能となるため、各被印字テープ５３１、５３２、５３３の各センサーマーク６５間の無線タグ回路素子３２を含まない部分に設けられる各印字領域２０２、２０５、２０８、２０９に正確に印字することが可能となり、各被印字テープ５３１、５３２、５３３の無線タグ回路素子３２のある凸状部分に印刷することを防止でき、高品質の印字済みラベル用テープ２８を作成することが可能となる。
更に、無線タグ回路素子２５を介して各無線タグ回路素子３２と該各無線タグ回路素子３２のテープ搬送方向上流側の直前に配置されるセンサマーク６５との相対距離を得ることが可能となるため、センサーマーク６５を基準に搬送方向上流側の無線タグ回路素子３２の配置位置を特定することが可能となり、各被印字テープ５３１、５３２、５３３の無線タグ回路素子３２のある凸状部分に印刷することを更に確実に防止でき、高品質の印字済みラベル用テープ２８を作成することが可能となる。
【０１１５】
尚、本発明は上記実施例に限定されることはなく、本発明の要旨を逸脱しない範囲内で種々の改良、変形が可能であることは勿論である。
例えば、無線タグ回路素子２５に替えて、テープカセット２１の本体部分の所定位置に被印字テープ５３の種類などを特定する複数個の凸部や凹部で構成されるテープ特定部を設け、アンテナ２６に替えてテープ印字装置１のカセット収納部８の底面部にこの凸部や凹部の有・無を検出するセンサ手段（例えばメカニカルスイッチ等である。）を設けてもよい。これにより、テープ印字装置１は、予め各被印字テープ５３１、５３２、５３３の各印字領域２０２、２０５、２０８、２０９に関するデータを記憶しておくことによって、センサ手段を介してテープ特定部によって特定される被印字テープ５３の種類などから、液晶ディスプレイ７に各印字領域２０２、２０５、２０８、２０９を有する各仮想テープ２０１、２０４、２０７を表示することが可能となる。
【図面の簡単な説明】
【０１１６】
【図１】本実施例に係るテープ印字装置の概略外観図で、（Ａ）は概略上方外観図、（Ｂ）は概略右側方外観図である。
【図２】本実施例に係るテープ印字装置のカセット収納部にテープカセットを装着する状態を示す要部拡大斜視図である。
【図３】本実施例に係るテープ印字装置のカセット収納部にテープカセットを装着した状態でテープカセットの上ケースを取り外した場合の要部拡大平面図である。
【図４】本実施例に係るテープカセットの被印字テープの長手方向側断面図である。
【図５】本実施例に係るテープカセットの被印字テープが印字される状態を模式的に示す図である。
【図６】本実施例に係るテープカセットに収納されたタイプ１の被印字テープの背面に印刷されるセンサーマークと外被印字テープに内蔵される無線タグ回路素子との位置関係を模式的に示す図である。
【図７】本実施例に係るテープカセットに収納されたタイプ２の被印字テープの背面に印刷されるセンサーマークと外被印字テープに内蔵される無線タグ回路素子との位置関係を模式的に示す図である。
【図８】本実施例に係るテープカセットに収納されたタイプ３の被印字テープの背面に印刷されるセンサーマークと外被印字テープに内蔵される無線タグ回路素子との位置関係を模式的に示す図である。
【図９】本実施例に係るテープ印字装置の制御構成を示すブロック図である。
【図１０】本実施例に係るテープ印字装置のリード／ライトモジュール（Ｒ／Ｗモジュール）の詳細機能を示す機能ブロック図である。
【図１１】本実施例に係るテープ印字装置の機能的構成を示す機能ブロック図である。
【図１２】本実施例に係るタイプ１の被印字テープが収納されるテープカセットに備えられた無線タグ回路素子のメモリ部に記憶されるカセット情報の一例を示す図である。
【図１３】本実施例に係るタイプ２の被印字テープが収納されるテープカセットに備えられた無線タグ回路素子のメモリ部に記憶されるカセット情報の一例を示す図である。
【図１４】本実施例に係るタイプ３の被印字テープが収納されるテープカセットに備えられた無線タグ回路素子のメモリ部に記憶されるカセット情報の一例を示す図である。
【図１５】本実施例に係るテープ印字装置の印字済みラベル用テープを作成する制御処理を示すメインフローチャートである。
【図１６】本実施例に係るテープ印字装置の印字データ入力処理のサブ処理を示すサブフローチャートである。
【図１７】本実施例に係るテープ印字装置の印字データ入力時に、タイプ１の被印字テープが収納されるテープカセットが装着された場合に、液晶ディスプレイに表示されるデータ入力要求の画面表示の一例を示す図である。
【図１８】本実施例に係るテープ印字装置の印字データ入力時に、タイプ２の被印字テープが収納されるテープカセットが装着された場合に、液晶ディスプレイに表示されるデータ入力要求の画面表示の一例を示す図である。
【図１９】本実施例に係るテープ印字装置の印字データ入力時に、タイプ３の被印字テープが収納されるテープカセットが装着された場合に、液晶ディスプレイに表示されるデータ入力要求の画面表示の一例を示す図である。
【図２０】本実施例に係るテープ印字装置の印字データ入力時に、タイプ１の被印字テープが収納されるテープカセットが装着された場合に、液晶ディスプレイ７に表示される文字データ入力時の画面表示の一例を示す図である。
【図２１】本実施例に係るテープ印字装置の印字データ入力時に、タイプ２の被印字テープが収納されるテープカセットが装着された場合に、液晶ディスプレイ７に表示される文字データ入力時の画面表示の一例を示す図である。
【図２２】本実施例に係るテープ印字装置の印字データ入力時に、タイプ３の被印字テープが収納されるテープカセットが装着された場合に、液晶ディスプレイ７に表示される文字データ入力時の画面表示の一例を示す図である。
【図２３】本実施例に係るテープ印字装置の印字処理のサブ処理を示すサブフローチャートである。
【図２４】本実施例に係るテープ印字装置の印字処理１のサブ処理を示すサブフローチャートである。
【図２５】本実施例に係るタイプ１の被印字テープが収納されるテープカセットが装着されたテープ印字装置の印字済みラベル用テープの作成の一例を模式的に説明する図で、（Ａ）はセンサーマークと無線タグ回路素子との位置関係を模式的に示す図、（Ｂ）は待機状態の印字済みラベル用テープの状態を示す図、（Ｃ）は印字開始時の印字済みラベル用テープの状態を示す図、（Ｄ）は先端側カット動作時の印字済みラベル用テープの状態を示す図、（Ｅ）は終端側カット動作時の印字済みラベル用テープの状態を示す図である。
【図２６】本実施例に係るテープ印字装置の印字処理２のサブ処理を示すサブフローチャートである。
【図２７】本実施例に係るテープ印字装置の印字処理２のサブ処理を示すサブフローチャートである。
【図２８】本実施例に係るタイプ２の被印字テープが収納されるテープカセットが装着されたテープ印字装置の印字済みラベル用テープの作成の一例を模式的に説明する図で、（Ａ）はセンサーマークと無線タグ回路素子との位置関係を模式的に示す図、（Ｂ）は待機状態の印字済みラベル用テープの状態を示す図、（Ｃ）は印字開始時の印字済みラベル用テープの状態を示す図、（Ｄ）は先端側カット動作時の印字済みラベル用テープの状態を示す図、（Ｅ）は無線タグ回路素子に情報を書き込み時の印字済みラベル用テープの状態を示す図、（Ｆ）は終端側カット動作時の印字済みラベル用テープの状態を示す図である。
【図２９】本実施例に係るテープ印字装置の印字処理３のサブ処理を示すサブフローチャートである。
【図３０】本実施例に係るテープ印字装置の印字処理３１のサブ処理を示すサブフローチャートである。
【図３１】本実施例に係るテープ印字装置の印字処理３１のサブ処理を示すサブフローチャートである。
【図３２】本実施例に係るタイプ３の被印字テープで第１印字領域のテープ搬送方向長さｌ６がカッターユニットとサーマルヘッドとの搬送方向距離ｌ２よりも小さい被印字テープが収納されるテープカセットが装着されたテープ印字装置の印字済みラベル用テープの作成の一例を模式的に説明する図で、（Ａ）はセンサーマークと無線タグ回路素子との位置関係を模式的に示す図、（Ｂ）は待機状態の印字済みラベル用テープの状態を示す図、（Ｃ）は印字開始時の印字済みラベル用テープの状態を示す図、（Ｄ）は先端側カット動作時の印字済みラベル用テープの状態を示す図、（Ｅ）は無線タグ回路素子に情報を書き込み時の印字済みラベル用テープの状態を示す図、（Ｆ）は終端側カット動作時の印字済みラベル用テープの状態を示す図である。
【図３３】本実施例に係るテープ印字装置の印字処理３２のサブ処理を示すサブフローチャートである。
【図３４】本実施例に係るテープ印字装置の印字処理３２のサブ処理を示すサブフローチャートである。
【図３５】本実施例に係るタイプ３の被印字テープで第２印字領域のテープ搬送方向長さｌ７がカッターユニットとサーマルヘッドとの搬送方向距離ｌ２よりも小さい被印字テープが収納されるテープカセットが装着されたテープ印字装置の印字済みラベル用テープの作成の一例を模式的に説明する図で、（Ａ）はセンサーマークと無線タグ回路素子との位置関係を模式的に示す図、（Ｂ）は待機状態の印字済みラベル用テープの状態を示す図、（Ｃ）は印字開始時の印字済みラベル用テープの状態を示す図、（Ｄ）は先端側カット動作時の印字済みラベル用テープの状態を示す図、（Ｅ）は無線タグ回路素子に情報を書き込み時の印字済みラベル用テープの状態を示す図、（Ｆ）は終端側カット動作時の印字済みラベル用テープの状態を示す図である。
【図３６】本実施例に係るテープ印字装置の印字処理３３のサブ処理を示すサブフローチャートである。
【図３７】本実施例に係るテープ印字装置の印字処理３３のサブ処理を示すサブフローチャートである。
【図３８】本実施例に係るタイプ３の被印字テープで第１印字領域のテープ搬送方向長さｌ６が搬送方向距離ｌ２以上、且つ、第２印字領域のテープ搬送方向長さｌ７が搬送方向距離ｌ２以上の被印字テープが収納されるテープカセットが装着されたテープ印字装置の印字済みラベル用テープの作成の一例を模式的に説明する図で、（Ａ）はセンサーマークと無線タグ回路素子との位置関係を模式的に示す図、（Ｂ）は待機状態の印字済みラベル用テープの状態を示す図、（Ｃ）は印字開始時の印字済みラベル用テープの状態を示す図、（Ｄ）は先端側カット動作時の印字済みラベル用テープの状態を示す図、（Ｅ）は無線タグ回路素子に情報を書き込み時の印字済みラベル用テープの状態を示す図、（Ｆ）は終端側カット動作時の印字済みラベル用テープの状態を示す図である。
【符号の説明】
【０１１７】
１    テープ印字装置
６    キーボード
７    液晶ディスプレイ
８    カセット収納部
８Ａ  側壁部
９    サーマルヘッド
１０  プラテンローラ
１１  テープサブローラ
１４  テープ駆動ローラ軸
１６  ラベル排出口
２４  外周側壁面
２１  テープカセット
２５、３２  無線タグ回路素子
２６、３３、６８  アンテナ
２８  印字済みラベル用テープ
２７  テープ排出口
３０  カッターユニット
３５  反射型センサ
６３  テープ送りローラ
６５  センサーマーク
６７  ＩＣ回路部
８０  制御回路部
８１  ＣＰＵ
８３  ＲＯＭ
８５  ＲＡＭ
８４  フラッシュメモリ
９２  テープ送りモータ
９３  リード／ライトモジュール
１２５  メモリ部
２０１、２０４、２０７  仮想テープ
２０２、２０５  印字領域
２０８  第１印字領域
２０９  第２印字領域
【図１】
2006289954.tif 000003
【図２】
2006289954.tif 000004
【図３】
2006289954.tif 000005
【図４】
2006289954.tif 000006
【図５】
2006289954.tif 000007
【図６】
2006289954.tif 000008
【図７】
2006289954.tif 000009
【図８】
2006289954.tif 000010
【図９】
2006289954.tif 000011
【図１０】
2006289954.tif 000012
【図１１】
2006289954.tif 000013
【図１２】
2006289954.tif 000014
【図１３】
2006289954.tif 000015
【図１４】
2006289954.tif 000016
【図１５】
2006289954.tif 000017
【図１６】
2006289954.tif 000018
【図１７】
2006289954.tif 000019
【図１８】
2006289954.tif 000020
【図１９】
2006289954.tif 000021
【図２０】
2006289954.tif 000022
【図２１】
2006289954.tif 000023
【図２２】
2006289954.tif 000024
【図２３】
2006289954.tif 000025
【図２４】
2006289954.tif 000026
【図２５】
2006289954.tif 000027
【図２６】
2006289954.tif 000028
【図２７】
2006289954.tif 000029
【図２８】
2006289954.tif 000030
【図２９】
2006289954.tif 000031
【図３０】
2006289954.tif 000032
【図３１】
2006289954.tif 000033
【図３２】
2006289954.tif 000034
【図３３】
2006289954.tif 000035
【図３４】
2006289954.tif 000036
【図３５】
2006289954.tif 000037
【図３６】
2006289954.tif 000038
【図３７】
2006289954.tif 000039
【図３８】
2006289954.tif 000040